(57)【要約】  無線通信システム（１００）は、無線端末（２）と、複数の周波数のうちの少なくとも１つを用いて無線端末（２）と通信する複数の基地局（１）と、複数の基地局（１）を制御する制御装置（４）と、を備える。複数の基地局（１）のそれぞれは、複数の基地局（１）によって共有される複数の周波数のうち少なくとも１つの周波数に対しての使用可否に関する情報を、制御装置（４）宛に送信する送信部を備える。制御装置（４）は、使用可否に関する情報を受信する受信部と、複数の基地局（１）が同一データの送信に使用する周波数を制御する制御部と、を備える。
2017145237.tif 000002
【特許請求の範囲】
【請求項１】
無線端末と、
複数の周波数のうちの少なくとも１つを用いて前記無線端末と通信する複数の基地局と、
前記複数の基地局を制御する制御装置と、を備え、
前記複数の基地局のそれぞれは、
前記複数の基地局によって共有される前記複数の周波数のうち少なくとも１つの周波数に対しての使用可否に関する情報を、前記制御装置宛に送信する送信部を備え、
前記制御装置は、
前記使用可否に関する情報を受信する受信部と、
前記複数の基地局が同一データの送信に使用する周波数を制御する制御部と、を備えた、
無線通信システム。
【請求項２】
前記複数の基地局のそれぞれは、前記複数の基地局によって共有される前記複数の周波数のそれぞれに対して無線品質を測定する測定部を備え、
前記使用可否に関する情報は、前記測定部による測定結果である、請求項１に記載の無線通信システム。
【請求項３】
前記使用可否に関する情報は、前記少なくとも１つの周波数を使用した通信が可能か否かを示すものである、請求項１に記載の無線通信システム。
【請求項４】
前記制御部は、
前記複数の基地局へ、前記同一データの送信に使用する周波数に関する制御情報を送信する、請求項１〜３のいずれか１項に記載の無線通信システム。
【請求項５】
前記制御情報は、前記複数の基地局が前記同一データの送信に使用する変調方式、符号化率、及び、送信タイミングの少なくとも１つに関する情報を含む、請求項４に記載の無線通信システム。
【請求項６】
前記複数の周波数は、免許不要な周波数である、請求項１〜５のいずれか１項に記載の無線通信システム。
【請求項７】
前記制御部は、
前記複数の基地局による前記同一データの送信開始からの経過時間を算出し、前記複数の基地局が前記同一データの送信に使用する周波数の再選択を行なう、請求項１〜６のいずれか１項に記載の無線通信システム。
【請求項８】
前記複数の基地局は、前記制御部が、選択した基地局である、請求項１〜７のいずれか１項に記載の無線通信システム。
【請求項９】
複数の周波数のうちの少なくとも１つを用いて無線端末と通信する複数の基地局を制御する制御装置であって、
前記複数の基地局のそれぞれから、前記複数の基地局によって共有される前記複数の周波数の少なくとも１つの周波数に対しての使用可否に関する情報を、受信する受信部と、
前記複数の基地局が同一データの送信に使用する周波数を制御する制御部と、を備えた、
制御装置。
【請求項１０】
前記使用可否に関する情報は、前記複数の基地局のそれぞれによる前記少なくとも１つの周波数に対しての無線品質の測定結果である、請求項９に記載の制御装置。
【請求項１１】
前記使用可否に関する情報は、前記複数の基地局が判定した前記少なくとも１つの周波数を使用した通信が可能か否かを示すものである、請求項９に記載の制御装置。
【請求項１２】
前記制御部は、
前記複数の基地局へ、前記同一データの送信に使用する周波数に関する制御情報を送信する、請求項９〜１１のいずれか１項に記載の制御装置。
【請求項１３】
前記制御情報は、前記複数の基地局が前記同一データの送信に使用する変調方式、符号化率、及び、送信タイミングの少なくとも１つに関する情報を含む、請求項１２に記載の制御装置。
【請求項１４】
前記複数の周波数は、免許不要な周波数である、請求項９〜１３のいずれか１項に記載の制御装置。
【請求項１５】
前記制御部は、
前記複数の基地局による前記同一データの送信開始からの経過時間を算出し、前記複数の基地局が前記同一データの送信に使用する周波数の再選択を行なう、請求項９〜１４のいずれか１項に記載の制御装置。
【請求項１６】
前記複数の基地局は、前記制御部が、前記使用可否に関する情報を基に選択した基地局である、請求項９〜１５のいずれか１項に記載の制御装置。
【請求項１７】
複数の周波数のうちの少なくとも１つを用いて無線端末と通信する複数の基地局のうちの１つの基地局であって、
前記複数の基地局によって共有される前記複数の周波数のうち少なくとも１つの周波数に対しての使用可否に関する情報を、制御装置宛に送信する第１送信部と、
前記複数の周波数のうちの少なくとも１つの周波数を使用して、同一データを前記無線端末へ送信する第２送信部と、を備えた、
基地局。
【請求項１８】
前記複数の基地局によって共有される前記複数の周波数のそれぞれに対して無線品質を測定する測定部を備え、
前記使用可否に関する情報は、前記測定部による測定結果である、請求項１７に記載の基地局。
【請求項１９】
前記使用可否に関する情報は、当該基地局が判定した前記少なくとも１つの周波数を使用した通信が可能か否かを示すものである、請求項１７に記載の基地局。
【請求項２０】
前記制御装置から、前記同一データの送信に使用する周波数に関する制御情報を受信する受信部を更に備える、請求項１７又は１８に記載の基地局。
【請求項２１】
前記制御情報は、前記同一データの送信に使用する変調方式、符号化率、及び、送信タイミングの少なくとも１つに関する情報を含む、請求項２０に記載の基地局。
【請求項２２】
前記複数の周波数は、免許不要な周波数である、請求項１７〜２１のいずれか１項に記載の基地局。
【請求項２３】
前記測定部は、
前記複数の基地局による前記同一データの送信開始からの経過時間を算出し、前記周波数毎の無線品質の再測定を行なう、請求項１８項に記載の基地局。
【請求項２４】
当該基地局は、前記制御装置によって、選択された基地局である、請求項１７〜２３のいずれか１項に記載の基地局。
【請求項２５】
複数の周波数のうちの少なくとも１つを用いて複数の基地局と通信する無線端末であって、
前記複数の基地局によって共有される前記複数の周波数から選択された少なくとも１つの周波数を示す制御情報を、前記複数の基地局の少なくとも１つから受信する第１受信部と、
前記受信した制御情報によって示された周波数を使用して、前記複数の基地局が前記無線端末宛に送信した同一データを受信する第２受信部と、を備えた、
無線端末。
【請求項２６】
前記制御情報は、前記同一データの受信に使用する復調方式、符号化率、及び、送信タイミングの少なくとも１つに関する情報を含む、請求項２５に記載の無線端末。
【請求項２７】
前記複数の周波数は、免許不要な周波数である、請求項２５又は２６に記載の無線端末。
【発明の詳細な説明】
【技術分野】
【０００１】
本発明は、無線通信システム、制御装置、基地局及び無線端末に関する。
【背景技術】
【０００２】
複数の基地局から無線端末宛に、同一のデータを送信（「ブロードキャスト」あるいは「マルチキャスト」と称してもよい。）することがある。複数の基地局が、同じ通信事業者によって管理されるような場合、ブロードキャストやマルチキャストの通信に使用する周波数は、通信事業者が、免許された使用可能な周波数帯において静的に決定しておけばよく、動的に変更しなくてもよい。
【先行技術文献】
【特許文献】
【０００３】
【特許文献１】特開２００６−９４００５号公報
【特許文献２】特表２０１４−５００６８５号公報
【特許文献３】特表２００９−５３８０２５号公報
【非特許文献】
【０００４】
【非特許文献１】「LTE; Evolved Universal Terrestrial Radio Access (E-UTRA); Physical channels and modulation (3GPP TS 36.211 version 10.7.0 Release 10)」、ETSI、(2013-04)
【非特許文献２】「3rd Generation Partnership Project; Technical Specification Group Radio Access Network; Evolved Universal Terrestrial Radio Access (E-UTRA); Physical Channels and Modulation (3GPP TS 36.211 version 9.1.0 Release 9)」、ETSI、(2010-03)
【発明の概要】
【発明が解決しようとする課題】
【０００５】
しかし、異なる複数の通信事業者によって管理される複数の基地局によって特定の無線端末に対してマルチキャストやブロードキャストの通信を実施しようとした場合、当該通信に使用する周波数を動的に変更する必要性が生じ得る。【０００６】
使用周波数を動的に変更するには、例えば、免許が不要であり、異なる通信事業者が共有可能な周波数を、マルチキャストやブロードキャストの通信に用いることが考えられる。【０００７】
しかし、免許が不要な周波数の使用には時間的な制限があることがあるため、いつでも当該周波数をマルチキャストやブロードキャストの通信に使用できるとは限らない。例えば、動的な変更によって使用しようとした周波数が、他の通信に占有されていることが有り得る。【０００８】
１つの側面では、本明細書に記載する技術の目的の１つは、複数の基地局から無線端末宛に同一データを送信するために使用可能な周波数を、動的に、また、効率的に、決定できるようにすることにある。
【課題を解決するための手段】
【０００９】
１つの側面において、この無線通信システムは、無線端末と、複数の周波数のうちの少なくとも１つを用いて前記無線端末と通信する複数の基地局と、前記複数の基地局を制御する制御装置と、を備え、前記複数の基地局のそれぞれは、前記複数の基地局によって共有される前記複数の周波数のうち少なくとも１つの周波数に対しての使用可否に関する情報を、前記制御装置宛に送信する送信部を備え、前記制御装置は、前記使用可否に関する情報を受信する受信部と、前記複数の基地局が同一データの送信に使用する周波数を制御する制御部と、を備える。
【発明の効果】
【００１０】
複数の基地局から無線端末宛に同一データを送信するために使用可能な周波数を、動的に、また、効率的に、決定できる。
【図面の簡単な説明】
【００１１】
【図１】実施形態の無線通信システムの構成例を示すブロック図である。
【図２】実施形態の無線通信システムにおけるＭＣＥ（Multi-Cell/Multicast Coordinate Entity）の適用例を示すブロック図である。
【図３】実施形態の無線通信システムにおけるＭＣＥの機能構成を模式的に示す図である。
【図４】実施形態の無線通信システムにおけるＭＢＳＦＮ（MBMS Single Frequency Network）伝送を実施する基地局の機能構成を模式的に示す図である。
【図５】実施形態の無線通信システムにおける無線回線制御部の機能構成を模式的に示す図である。
【図６】実施形態の無線通信システムにおけるＭＢＭＳ（Multimedia Broadcast Multicast Service）データを受信する無線端末の機能構成を模式的に示す図である。
【図７】実施形態の無線通信システムにおける周波数の選択方法の第１の例を説明する図である。
【図８】実施形態の無線通信システムにおける周波数の選択方法の第２の例を説明する図である。
【図９】実施形態の無線通信システムにおける周波数の初期選択動作例を説明するシーケンス図である。
【図１０】実施形態の無線通信システムにおける周波数の継続選択動作例を説明するシーケンス図である。
【図１１】実施形態のｅＮＢにおける受信電力の測定動作の第１の例を説明するフローチャートである。
【図１２】実施形態のｅＮＢにおける受信電力の測定動作の第２の例を説明するフローチャートである。
【図１３】実施形態の無線通信システムにおけるＭＢＳＦＮ伝送を実施する基地局のハードウェア構成を例示する図である。
【図１４】実施形態の無線通信システムにおけるＭＢＭＳデータを受信する無線端末のハードウェア構成を例示する図である。
【図１５】実施形態の第１変形例の無線通信システムにおけるＭＢＳＦＮ伝送を実施する基地局の機能構成を模式的に示す図である。
【図１６】実施形態の第１変形例の無線通信システムにおけるＭＢＳＦＮ伝送を実施する基地局のハードウェア構成を例示する図である。
【図１７】第２変形例の無線通信システムにおけるＭＢＦＳＮ伝送に使用されるパイロットのマッピング例を説明する図である。
【図１８】通常のデータ伝送に使用されるパイロットのマッピングの第１の例を説明する図である。
【図１９】通常のデータ伝送に使用されるパイロットのマッピングの第２の例を説明する図である。
【図２０】実施形態の第２変形例の無線通信システムにおけるｅＮＢの追加動作の第１の例を説明するシーケンス図である。
【図２１】実施形態の第２変形例の無線通信システムにおける周波数の選択動作の第１の例を説明するシーケンス図である。
【図２２】実施形態の第２変形例の無線通信システムにおける周波数の選択動作の第２の例を説明するシーケンス図である。
【図２３】実施形態の第２変形例の無線通信システムにおける周波数の選択動作の第２の例を説明するシーケンス図である。
【発明を実施するための形態】
【００１２】
以下、図面を参照して一実施の形態を説明する。ただし、以下に示す実施形態はあくまでも例示に過ぎず、実施形態で明示しない種々の変形例や技術の適用を排除する意図はない。本実施形態は、その趣旨を逸脱しない範囲で種々変形して実施することができる。
【００１３】
また、各図は、図中に示す構成要素のみを備えるという趣旨ではなく、他の機能等を含むことができる。
【００１４】
以下、図中において、同一の符号を付した部分は同様の部分を示している。
【００１５】
〔Ａ〕実施形態の一例
〔Ａ−１〕システム構成例
ＬＴＥ（Long Term Evolution）及びＬＴＥ−Ａｄｖａｎｃｅｄの後継の技術として、大容量で高速な無線ネットワーク技術である第５世代移動通信（５Ｇ）と称される技術の検討が進められている。また、ＬＴＥ−Ａｄｖａｎｃｅｄ技術の一つとして、ＣＡ（Carrier Aggregation）を用いたサービスが導入され、無線通信における通信速度が向上している。
【００１６】
ＣＡに用いられる周波数は、現在、事業者に割り当てられた周波数の組み合わせで実施されている。例えば、８００ＭＨｚや１．７ＧＨｚなどの周波数帯における複数の周波数の組み合わせにより、ＣＡが実現される。
【００１７】
今日では、移動通信、災害無線などの緊急通信、放送、衛星通信などの様々な無線通信システムに対して無線周波数が割り当てられており、移動通信に割り当てられる周波数は限られている。一方、移動通信の通信量（「トラフィック」と称されてもよい。）は、スマートフォンの普及などにより年々増加しており、その需要に対応できるだけの周波数の確保が難しくなっている。
【００１８】
そこで、５ＧＨｚなどの免許不要で使用可能な周波数を組み合わせてＣＡを実施することについて、３ＧＰＰ標準化団体（3rd Generation Partnership Project；以下、単に「３ＧＰＰ」と称する場合がある。）などで議論が開始されている。
【００１９】
（１．１）ＬＡＡ及びＷＬＡＮ  ｉｎｔｅｒｗｏｒｋｉｎｇ
３ＧＰＰでは、ＬＡＡ（Licensed assisted access using LTE）技術及びＷＬＡＮ  ｉｎｔｅｒｗｏｒｋｉｎｇ技術が検討されている。ＷＬＡＮ  ｉｎｔｅｒｗｏｒｋｉｎｇとは、Ｗｉ−Ｆｉ（IEEE802.11x）とＬＴＥとでＣＡ又はＤＣ（Dual Connectivity）を行ない、伝送速度の改善を行なう技術である。
【００２０】
ＬＡＡは、免許が必要な周波数を用いたＬＴＥと、免許が不要な周波数を用いて構成されたＬＴＥとで、ＣＡを行なう技術である。免許が不要な周波数を用いて構成されたＬＴＥは、例えばＩＳＭ（Industry Science Medical）バンド（２．４〜２．５ＧＨｚ）や５ＧＨｚ帯などが用いられ、既存のＬＴＥシステムの補助を受けて構築される。
【００２１】
ＬＡＡを用いた通信は、免許が不要な周波数を用いていることから、日本において特定小電力通信として規定されている。
【００２２】
免許が不要な周波数は、送信電力の上限、連続送信時間の上限及び送信する前にその周波数が使われていないことを確認することなどの規定を守れば、自由に使用することが可能な周波数である。
【００２３】
（１．２）Licensed band及びUnlicensed band
現在の移動通信では、一般的に、無線通信で使用する周波数は、ＩＴＵ−Ｒが策定した周波数割り当てと各国の事情を基に、各国が特定のオペレータに対して使用免許を与え周波数を割り当てている。なお、「ＩＴＵ−Ｒ」は、International Telecommunication Union Radio communications Sectorの略称である。
【００２４】
別言すれば、オペレータは免許が必要、かつ占有して使用が可能な周波数（「Licensed band」と称されてよい。）を用いて移動通信事業を行っている。
【００２５】
Unlicensed bandとは、上記のLicensed bandとは異なり、免許なしで使用可能な周波数である。例えばＩＳＭ帯や５ＧＨｚ帯などが、Unlicensed bandとして、各国で規定さている。Unlicensed bandは、使用が時限的な無線リソースの一例である。
【００２６】
Unlicensed bandを使用するためには、ＬＢＴ（Listen Before Talk）を実施することが規定されている。「ＬＴＢ」とは、ある周波数で送信する前にその周波数が使用されていないことを確認することである。
【００２７】
更に、それぞれの国によってUnlicenced bandについての仕様が規定されている。例えば、日本であれば、Unlicenced bandの仕様は、送信電力が１ＭＨｚ当たり最大２３ｄＢｍ（別言すれば、２００ｍＷ）以下であり、最長連続送信期間が４ｍｓｅｃである。
【００２８】
（１．３）ＭＢＭＳ及びＭＢＳＦＮ
３Ｇ及びＬＴＥネットワークシステムにおいて、テレビ放送のような不特定多数のユーザに対して映像、音楽や天気予報などの各種情報などを配信（別言すれば、「放送」）できるシステムであるＭＢＭＳが仕様化されている。
【００２９】
ＭＢＭＳは、配信エリア内の全ての端末に対して、共通の無線チャネルを用いて一斉に各種情報を端末に配信（「報知」又は「放送」と称されてもよい。）する伝送方式である。また、ＭＢＭＳにおいては、特定の端末グループの全ての端末に対して同様に各種情報や共通情報を伝送（「マルチキャスト」と称されてもよい。）する。
【００３０】
ＬＴＥサービスにおいては、ＭＢＳＦＮ送信方式を用いてＭＢＭＳを実施する。
【００３１】
ＭＢＳＦＮは、ＭＢＳＦＮを構成する複数の基地局が同一データを同一の変調方式及び同一の符号化率で同一の周波数を用いて一斉同期送信することで、端末側が各基地局から送信された信号を合成できる方式である。なお、「基地局」は、「ｅＮＢ（eNode B）」と称されてもよい。
【００３２】
また、ＭＢＳＦＮは、Ｗ−ＣＤＭＡ（Wideband Code Division Multiple Access）及びＬＴＥで仕様が規定されている。ＭＢＳＦＮは、同一の周波数（又は無線リソース）を用いて、同一の変調方式及び同一の符号化率を用いて、複数の基地局から一斉に（別言すれば、「同一タイミングで」）、ＭＢＭＳデータを送信する技術である。また、無線リソースは、Ｗ−ＣＤＭＡでは拡散符号であってもよく、ＬＴＥでは周波数軸方向のサブキャリアと時間軸方向のシンボルで構成されるリソースブロックであってもよい。
【００３３】
ＭＢＳＦＮを用いたサービスとしては、例えば、サッカー場などの競技場において１つ又は複数のライブ映像（「動画像」と称されてもよい。）を配信する場合や、ニュース、天気予報や観光案内などの情報を配信する場合などが挙げられる。
【００３４】
例えば、２０２０年に開催される東京オリンピックにおいて、競技内容を競技場で配信することが検討されている。陸上競技、体操、柔道などの競技は１つの競技場内で複数の競技が同時並行で進められているため、複数のライブ映像を配信し、視聴者が選択できるようにすることが有益と考えられている。
【００３５】
図１は、実施形態の無線通信システム１００の構成例を示すブロック図である。
【００３６】
図１に示す無線通信システム１００は、例示的に、複数のｅＮＢ１（「ｅＮＢ＃１〜＃ｍ」と表記することがある。）と、無線端末２とを備える。「ｅＮＢ」は、「基地局」の一例である。図１に示す例において、ｍ（ｍは自然数）個のｅＮＢ１は、同一のコアネットワーク（不図示）に属している。
【００３７】
ｅＮＢ１は、図１の破線で示すエリアにおいて、無線端末２に対してデータを送信してよい。ｅＮＢ＃１，＃２及び＃ｍは、同一のデータを各ｅＮＢ１間で同一の周波数、タイミング、及び、変調方式にて送信してよい。
【００３８】
また、図１に示す無線通信システム１００は、例示的に、ＭＭＥ３、ＭＣＥ４、ＢＭＳＣ５、ＭＢＭＳ  ＧＷ６、及び、コンテンツプロバイダ７を備える。なお、「ＭＭＥ」はMobility Management Entityの略称であり、「ＢＭＳＣ」はBroadcast Multicast - Service Centerの略称である。また、「ＭＢＭＳ  ＧＷ」は、Multimedia Broadcast Multicast Service Gatewayの略称である。
【００３９】
以下、ＭＭＥ３、ＭＣＥ４、ＢＭＳＣ５、ＭＢＭＳ  ＧＷ６、及び、コンテンツプロバイダ７の詳細について、説明する。
【００４０】
（２．１）ＭＣＥ４について
ＭＢＳＦＮの実施に用いる周波数（又は無線リソース）、変調方式、符号化率、送信タイミングは、ｅＮＢ１の上位装置であるＭＣＥ４によって制御（別言すれば、「選択」）されてよい。また、ＭＣＥ４は、制御装置の一例であり、送信するＭＢＭＳのデータ量を制御してよい。なお、これらの制御機能をスケジューリングと呼ぶこともある。
【００４１】
ＭＢＳＦＮの実施に用いる周波数や変調方式、符号化率、送信タイミング等は、無線端末２がＭＢＭＳデータを受信するために使用される制御情報（以下、「ＭＢＳＦＮ制御情報」と称される場合がある。）であってよい。ＭＣＥ４は、ＭＢＳＦＮ制御情報を配下の複数のｅＮＢ１に通知してよい。
【００４２】
図２は、実施形態の無線通信システム１００におけるＭＣＥ４の適用例を示すブロック図である。
【００４３】
ＭＣＥ４は、図２の（１）に示すようにｅＮＢ１とは独立して無線通信システム１００に備えられてもよいし、図２の（２）に示すようにｅＮＢ１ｂの一機能として備えられてもよい。また、ＭＣＥ４は、後述するＭＭＥ３の一機能として実現されてもよい。
【００４４】
本実施形態においては、ＭＣＥ４は、図２の（１）に示すように、ｅＮＢ１とは独立して無線通信システム１００に備えられているものとして説明する。ＭＣＥ４がｅＮＢ１ｂの一機能として備えられる場合の詳細については、実施形態の第１変形例において後述する。
【００４５】
図３は、実施形態の無線通信システム１００におけるＭＣＥ４の機能構成を模式的に示す図である。
【００４６】
ＭＣＥ４は、図３に例示するように、セッション制御部４１、スケジューラ４２、コンテンツ制御部４３、及び、周波数選択部４４として機能する。
【００４７】
セッション制御部４１は、例示的に、ＭＢＭＳデータ伝送のセッションを制御するためのセッション情報を、ＭＭＥ３とｅＮＢ１との間で送受信する。
【００４８】
コンテンツ制御部４３は、例示的に、実際に伝送されるＭＢＭＳデータの内容のリスト（「コンテンツリスト」と称されてもよい。）を作成し、配下のｅＮＢ１に通知する。また、コンテンツ制御部４３は、コンテンツリストを制御するためのコンテンツ制御情報を、ＭＭＥ３に対して送信してよい。
【００４９】
Ｗ−ＣＤＭＡやＬＴＥシステムでは、スロットと、２スロットを有するサブフレーム、２０スロット又は１０サブフレームを有するシステムフレーム（「無線フレーム」と称されてもよい。）で時間軸方向が規定さている。なお、ＬＴＥシステムでは、１スロットは、６又は７シンボルを有する。
【００５０】
周波数選択部４４は、例示的に、複数の周波数の中からＭＢＦＳＮ伝送に使用する周波数を選択して、選択した周波数を各ｅＮＢ１に通知する。周波数選択部４４は、使用可能な周波数を探索するために、各ｅＮＢ１に対して、周波数使用可否確認要求を送信してよい。
【００５１】
周波数選択部４４は、各ｅＮＢ１から通知された複数の周波数の無線回線品質に基づいて、複数の周波数の中からＭＢＳＦＮ伝送に使用する周波数を選択してよい。また、周波数選択部４４は、各ｅＮＢ１から通知された使用可能な周波数の中から、ＭＢＭＳ伝送に使用する周波数を選択してもよい。
【００５２】
別言すれば、周波数選択部４４は、複数の周波数のうち少なくとも１つの周波数に対しての使用可否に関する情報を受信する受信部として機能してよい。また、周波数選択部４４は、受信した情報を基に、複数のｅＮＢ１が同一データの送信に使用する周波数を制御する制御部として機能してよい。これらにより、複数の事業者によって共有される周波数を用いて同じデータを送信する際に、使用する周波数を効率的に決定することができる。
【００５３】
また、周波数選択部４４は、複数のｅＮＢ１へ、同一データの送信に使用する周波数を示す制御情報を送信する制御部として機能してよい。これにより、各ｅＮＢ１は、ＭＢＳＦＮ伝送を確実に行なうことができる。
【００５４】
使用可否に関する情報は、複数の周波数毎にその周波数を使用した通信が可能か否かを示してよい。別言すれば、使用可否に関する情報は、複数のｅＮＢ１が判定した或る周波数を使用した通信が可能か否かを示してよい。これにより、周波数の使用可否の判定を確実に行なうことができる。
【００５５】
スケジューラ４２は、例示的に、システムフレームの番号、サブフレームの番号及びスロットの番号を用いて、ＭＢＭＳデータを送信する送信タイミングを規定し、ｅＮＢ１に通知する。
【００５６】
別言すれば、スケジューラ４２は、複数のｅＮＢ１へ、複数のｅＮＢ１が同一データの送信に使用する変調方式、符号化率、及び、送信タイミングの少なくとも１つに関する情報を含む制御情報を送信する制御部として機能してよい。これにより、各ｅＮＢ１は、ＭＢＳＦＮ伝送を確実に行なうことができる。
【００５７】
また、スケジューラ４２は、ＭＢＭＳデータを送信する期間（「通信期間」や「通信継続時間」、「連続送信時間」と称されてよい。）を、上記サブフレーム等を用いて規定し、同様に無線端末２に通知してもよい。
【００５８】
ＭＣＥ４は、１つ又は複数のセルを有し、ＭＢＳＦＮ伝送を実施するエリアをＭＢＳＦＮエリアとして規定してよい。ＭＣＥ４は、規定されたＭＢＳＦＮエリアのそれぞれに対してユニークに（別言すれば、「識別可能となるように」）ＭＢＳＦＮ  ＩＤを割り当ててよい。ＭＣＥ４は、割り当てたＭＢＳＦＮ  ＩＤをｅＮＢ１に通知してよい。
【００５９】
なお、ＭＢＭＳエリアの設定及びＭＢＳＦＮ  ＩＤの割り当ては、事業者がＭＣＥ４及びＭＭＥ３を設置時に静的に設定してもよいし、ＭＣＥ４又は以下で説明するＭＭＥ３が動的に割り当てを実施してもよい。
【００６０】
（２．２）ＭＭＥ３について
ＭＭＥ３は、例示的に、ＭＣＥ４の上位装置として無線通信システム１００に備えられる。ＭＭＥ３は、ＭＢＭＳデータ送信のセッションを制御する機能や、コンテンツを制御する機能などを備えてよい。
【００６１】
（２．３）ＭＢＭＳ  ＧＷ６について
ＭＢＭＳ  ＧＷ６は、例示的に、ＢＭＳＣ５から伝送されたＭＢＭＳデータを、ＭＢＳＦＮ伝送を行なうｅＮＢ１に対してマルチキャストする。別言すれば、ＭＢＭＳ  ＧＷ６は、同一のデータを複数のｅＮＢ１に同時に送信してよい。
【００６２】
ＭＢＭＳ  ＧＷ６は、図２の（１）及び（２）に例示するように、ＭＢＭＳ  ＣＰ（MBMS Control Plane）６１、及び、ＭＢＭＳ  ＵＰ（MBMS User Plane）６２を備えてよい。
【００６３】
ＭＢＭＳ  ＣＰ６１は、例示的に、ＢＭＳＣ５から受信した制御情報をｅＮＢ１に対して送信する。
【００６４】
ＭＢＭＳ  ＵＰ６２は、例示的に、ＢＭＳＣ５から受信したユーザデータ（別言すれば、「ＭＢＭＳデータ」）をｅＮＢ１に対して送信する。
【００６５】
（２．４）ＢＭＳＣ５について
ＢＭＳＣ５は、例示的に、ＭＢＭＳデータの配信を管理する。ＢＭＳＣ５は、図２の（１）及び（２）に例示するように、コンテンツプロバイダ７及びＰＤＮゲートウェイ（ＰＧＷ；図１には不図示）８に接続されてよい。
【００６６】
ＢＭＳＣ５は、コンテンツプロバイダ７からＭＢＭＳデータ（例えば、「映像データ」）取得してよい。
【００６７】
ＢＭＳＣ５は、ＰＤＮゲートウェイ８を介して、図１に示した無線通信システム１００が属するコアネットワーク（不図示）や他のコアネットワーク（不図示）に対して、ＭＢＭＳデータを送信してよい。
【００６８】
（２．５）ｅＮＢ１について
ｅＮＢ１は、例示的に、ＭＣＥ４から通知された周波数などのＭＢＳＦＮ制御情報を、ＭＢＭＳ制御チャネル（ＭＣＣＨ）を用いて無線端末２に送信する。
【００６９】
ｅＮＢ１は、ＭＣＥ４から通知された送信タイミング及び送信期間に関するＭＢＳＦＮ制御情報を作成してよい。そして、ｅＮＢ１は、作成したＭＢＭＳ制御情報を、論理チャネルであるＭＢＭＳ制御チャネル（ＭＣＣＨ： Multicast Control CHannel）を用いて無線端末２に送信してよい。
【００７０】
また、ｅＮＢ１は、ＭＢＭＳ制御情報を作成し、共有無線チャネル（ＰＤＳＣＨ）を用いて作成したＭＢＭＳ制御情報を無線端末２に送信してもよい。
【００７１】
ｅＮＢ１は、ＭＣＥ４から通知された送信ＭＢＭＳデータ量を基に、ＭＢＭＳ  ＧＷ６から受信したＭＢＭＳデータから、送信するデータを選択してよい。そして、ｅＮＢ１は、論理チャネルであるＭＴＣＨ（Multicast Traffic Channel）を用いて、ＭＢＭＳデータを無線端末２に送信してよい。
【００７２】
なお、ｅＮＢ１は、ＭＴＣＨ及びＭＣＣＨをトランスポートチャネルであるＭＣＨ（Multicast Channel）にマッピングし、無線報知チャネル（ＰＢＣＨ：Physical Broadcast Channel）を用いて、ＭＢＭＳデータを無線端末２に送信してよい。
【００７３】
ｅＮＢ１は、符号化・変調部１１３（図４を用いて後述）において、送信対象として選択したＭＢＭＳデータに対して、符号化を行ない、符号化したＭＢＭＳデータを基に作成したＣＲＣ（Cyclic Redundancy Check）ディジットを付加してよい。また、ｅＮＢ１は、符号化・変調部１１３において、ＣＲＣディジットが付加され符号化されたＭＢＭＳデータに対して、ＭＢＳＦＮ  ＩＤやスロット番号を基に作成したスクランブリングコードを用いてスクランブリングを施してよい。そして、ｅＮＢ１は、符号化・変調部１１３において、スクランブリングされたデータを変調してよい。スクランブリングコードの作成及びスクランブルについては、後述する。
【００７４】
ｅＮＢ１は、送信多元接続処理部１１４（図４を用いて後述）において、変調されたＭＢＭＳデータを、多元接続に対応する信号（通信方式がＬＴＥであれば、「ＯＦＤＭＡ信号」または「ＯＦＤＭ信号」であってよい。）に変換してよい。なお、「ＯＦＤＭＡ」は、Orthogonal Frequency-Division Multiple Accessの略称である。また、「ＯＦＤＭ」は、Orthogonal Frequency-Division Multiplexingの略称である。
【００７５】
ｅＮＢ１は、送信無線部１１５（図４を用いて後述）において、ベースバンド信号を、周波数変換し、無線信号に変換され増幅した後、アンテナ１０（図４を用いて後述）を介して、無線端末２に送信してよい。なお、ｅＮＢ１は、ＭＢＳＦＮ制御信号やシステム情報についても、同様の処理を施して無線端末２に送信してよい。システム情報は、無線回線品質測定の条件や、セル選択に関する情報、ＭＢＳＦＮセルＩＤ、ＭＢＳＦＮ  ＩＤ等を含んでよい。
【００７６】
ｅＮＢ１は、後述するＲＳ（Reference Signal；別言すれば、「パイロット信号」）及び後述する同期信号も無線端末２に送信してよい。なお、パイロットや同期信号については、符号化やＣＲＣディジットの付加、スクランブリングは行なわれなくてよい。
【００７７】
ｅＮＢ１が備える機能の詳細については、図４及び図５等を用いて後述される。
【００７８】
（２．６）無線端末２について
無線端末２は、例示的に、複数のｅＮＢ１から送信されたシステム情報を受信してよい。
【００７９】
具体的には、無線端末２は、受信無線部２１１（図６を用いて後述）において、アンテナ２０を介して受信した受信信号を周波数変換しベースバンド信号に変換してよい。
【００８０】
無線端末２は、受信直交多元接続処理部２１２（図６を用いて後述）において、ベースバンド信号に変換された受信信号に対して、多重化された受信を分離してよい。
【００８１】
無線端末２は、復調・復号部２１３（図６を用いて後述）において、分離された受信信号を復調し、復調された受信信号を復号し、スクランブルされた受信信号を再生してよい。
【００８２】
また、無線端末２は、復調・復号部２１３において、スクランブルされた受信信号に対して、Ｃｅｌｌ  ＩＤ及びスロット番号を基に作成したスクランブリングコードを用いて、デスクランブルを施してよい。
【００８３】
更に、無線端末２は、復調・復号部２１３において、デスクランブルされた受信信号に対してＣＲＣにより誤りがあるか否かを判定し、ＣＲＣディジットを分離し、ＭＢＭＳデータを再生してよい。
【００８４】
無線端末２は、同様に、パイロット信号や同期信号も受信してよい。無線端末２は、受信信号と同時に受信するパイロット信号を用いて受信信号の復調を行なってよい。無線端末２は、受信した同期信号を基にｅＮＢ１ｂと同期を行なってよい。
【００８５】
一般に、ＬＴＥ−ＡｄｖａｎｃｅｄにおけるＣＡではＰＣｅｌｌとＳＣｅｌｌとは同一の事業者が運用するセルであり、免許不要の周波数を用いたＳＣｅｌｌであっても、無線端末２は、ＰＣｅｌｌの精度以下の精度で同期する場合がある。ここで、ＰＣｅｌｌは、Primary Cellの略称であり、ＭＢＳＦＮ伝送を実施ないセルであってよい。また、ＳＣｅｌｌは、Secondary Cellの略称であり、ＭＢＳＦＮ伝送を実施するセルであってよい。ＰＣｅｌｌは、第１のセルや主セルとも呼ばれ、ＳＣｅｌｌは第２のセルや従属セルとも呼ばれる。
【００８６】
よって、無線端末２は、ＰＣｅｌｌに対して同期を行なえば、ＳＣｅｌｌとも同期を行える可能性が高い。ＰＣｅｌｌとＳＣｅｌｌとのそれぞれの送信タイミングが一致したとしても、ＰＣｅｌｌから無線端末２までの距離とＳＣｅｌｌから無線端末２までの距離に差がある場合には、受信タイミングが異なる可能性がある。このような場合であっても、ＣＰについて１０分の１程度の受信タイミングの差であれば、無線端末２は、ＰＣｅｌｌとＳＣｅｌｌとから、データを受信できる。
【００８７】
このように、無線端末２は、通常の個別データを受信するＰＣｅｌｌに対する同期とは別に、ＭＢＳＦＮ伝送を実施するＳＣｅｌｌに対しても別に同期してよい。別言すれば、無線端末２は、複数の周波数に対して、それぞれ別に同期が可能であってよい。
【００８８】
無線端末２が備える機能の詳細については、図６等を用いて後述される。
【００８９】
なお、無線端末２は、図６を用いて後述する受信部２１、制御部２２、及び、送信部２３を、ＰＣｅｌｌ向けとＳＣｅｌｌ向けとにそれぞれ別に備えてもよい。
【００９０】
（２．７）ＭＢＭＳデータ伝送について
上述のようにＬＴＥでは、ＭＢＭＳデータが符号化され、符号化された送信データからＭＢＳＦＮ  ＩＤを基にして算出された初期値を用いてスクランブルコードが作成されてよい。符号化されたＭＢＭＳデータは、算出されたスクランブルコードを用いてスクランブルされてよい。その後、ＭＢＭＳデータは、変調を施され、ＦＦＴ（Fast Fourier Transform）などのＯＦＤＭ（又はＯＦＤＭＡ）に必要な処理を施され、アンテナ１０（図４等を用いて後述）を介して無線端末２に送信されてよい。
【００９１】
また、ＭＢＭＳデータは、トランスポートチャネルのＭＣＨ（Multicast Channel）にマッピングされてよい。そして、ＭＣＨとＭＢＳＦＮ  ＲＳ（「ＭＢＳＦＮパイロット信号」と称されてもよい。）とは、物理チャネル（「無線チャネル」と称されてもよい。）ＰＭＣＨ（Physical Multicast Channel）にマッピングされ送信されてよい。
【００９２】
ＭＢＳＦＮ  ＲＳは、通常サブフレームにマッピングされるＲＳとは異なる算出式で導かれる参照信号列であり、サブフレーム内の配置（別言すれば、「マッピング」）も異なってよい。
【００９３】
更に、ＭＢＳＦＮ伝送では、通常の個別データを伝送する共有チャネル（ＤＳＣＨ）が用いるフレームフォーマット（「Ｎｏｎ−ＭＢＳＦＮサブフレーム」や「通常サブフレーム」と称されてもよい。）とは異なるＭＢＳＦＮサブフレームが用いられてよい。ここで、「個別データ」は、「端末個別データ」や「ユーザ個別データ」と称されてもよい。なお、ＭＢＳＦＮサブフレームを用いたＭＢＳＦＮ伝送の詳細については、例えば非特許文献１の「６．１０．２」節に記載がある。
【００９４】
（２．８）ＭＢＳＦＮ伝送におけるスクランブリングについて
スクランブリングコードの初期値の算出式は、例えば非特許文献１の「６．３．１」節で規定されており、具体的には以下の（式１）の通りである。なお、以下の算出式において、ｎｓは、スロット番号である。また、
【数１】
2017145237.tif 000003
は、ＭＢＳＦＮ  ＩＤである。
【数２】
2017145237.tif 000004
【００９５】
例えば非特許文献１の「７．２」節には、スクランブリングに用いる３１ｂｉｔｓのＰＮ（Pseudo Noise）符号が規定されている。ＰＮ符号は、２つの３１ｂｉｔｓのゴールド符号を合成して作成されてよい。非特許文献１の「７．２」節には、それぞれのゴールド符号の生成多項式及び初期値も以下のように規定されている。
【数３】
2017145237.tif 000005
【数４】
2017145237.tif 000006
【００９６】
規定されている生成多項式及び初期値のうち、ｘ２の初期値が例えば非特許文献１の「６．３．１」節の初期値に置き換えられて、スクランブリングコードが生成される。なお、初期値算出式のＮｃは、スロット番号である。
【００９７】
図４は、実施形態の無線通信システム１００におけるＭＢＳＦＮ伝送を実施するｅＮＢ１の機能構成を模式的に示す図である。
【００９８】
ｅＮＢ１は、例示的に、アンテナ１０を備え、また送信部１１、制御部１２、及び、受信部１３として機能する。
【００９９】
受信部１３は、例示的に、免許が不要な周波数を用いて無線端末２から送信されたデータを、アンテナ１０を介して、受信する。受信部１３は、受信無線部１３１、受信多元接続処理部１３２、復調・復号部１３３、及び、無線測定部１３４を備えてよい。
【０１００】
受信無線部１３１は、例示的に、無線端末２から免許が不要な周波数を用いて送信された信号を、アンテナ１０を介して受信する。そして、受信無線部１３１は、受信信号を増幅し、更に、無線周波数からベースバンド信号へと変換してよい。そして、受信無線部１３１は、ベースバンド信号に変換した信号を受信多元接続処理部１３２及び無線測定部１３４へ入力してよい。
【０１０１】
また、受信無線部１３１は、無線端末２から免許が必要な周波数を用いて送信された信号を、アンテナ１０を介して受信してもよい。
【０１０２】
受信多元接続処理部１３２は、例示的に、ベースバンド信号に変換された受信信号に対して、多重化された受信を分離する処理を施す。そして、受信多元接続処理部１３２は、処理を施した受信信号を復調・復号部１３３へ入力してよい。
【０１０３】
復調・復号部１３３は、例示的に、受信多元接続処理部１３２から信号の入力を受ける。そして、復調・復号部１３３は、受信信号に復調処理を施す。更に、復調・復号部１３３は、復調処理を施した信号に対して復号処理を施してよい。そして、復調・復号部１３３は、復調・復号処理を施した信号を無線測定部１３４及びＩ／Ｆ１１ｂ（図１３を用いて後述）へ入力してよい。
【０１０４】
無線測定部１３４は、複数のｅＮＢ１によって共有される複数の周波数のそれぞれに対して無線品質を測定する測定部の一例である。
【０１０５】
無線測定部１３４は、例示的に、免許が不要な或る周波数が使用されているか否かを判定する。別言すれば、無線測定部１３４は、周波数毎の無線品質を測定する測定部として機能してよい。これにより、ＭＢＳＦＮ伝送に使用可能な周波数を探索することができる。
【０１０６】
具体的には、無線測定部１３４は、受信無線部１３１及び復調・復号部１３３からの入力を基に、免許が不要な或る周波数において、無線回線品質を測定し、測定した無線回線品質を閾値と比較してよい。「無線回線品質」は、例えば、「受信電界強度」や「パイロット受信電力」、「パイロット受信品質」であってよい。
【０１０７】
そして、無線測定部１３４は、無線回線品質が閾値以下となった場合には、無線回線品質を測定した或る周波数が使用されていないと判定してよい。一方、無線測定部１３４は、無線回線品質が閾値以上となった場合には、無線回線品質を測定した或る周波数が使用されていると判定してよい。
【０１０８】
無線測定部１３４は、例えば、受信電界強度に相当するＲＳＳＩ（Received Signal Strength Indicator）と閾値とを比較し、ＲＳＳＩが閾値以下となった場合に、無線回線品質を測定した或る周波数が使用されていないと判定してよい。なお、一般的にはＲＳＳＩは電圧で出力されるものであるため、無線測定部１３４は、電圧で比較しても良いし、Ｄ／Ａ（ディジタル／アナログ）コンバートした離散値としてのディジタル値で比較してもよい。
【０１０９】
また、無線測定部１３４は、無線回線品質の測定による判定結果を、後述する制御部１２の無線回線制御部１２２へ入力してよい。
【０１１０】
免許が不要な周波数帯であるUnlicensed Bandを用いて通信を行なう場合には、通信を行う前に使用しようとする周波数が他の通信によって使用されていないことを確認することが規定されている。このような、周波数の使用確認は、例えば、ＬＢＴ（Listen Before Talk）やＣＳＭＡ／ＣＡ（Carrier Sense Multiple Access/Collision Avoidance）と称される。
【０１１１】
周波数の使用確認が行なわれない場合には、ある無線周波数（別言すれば、「無線リソース」）を使用しようとしても、使用しようとする無線リソースが必ずしも使用できるとは限らず、通信を実施できないおそれがある。そこで、無線測定部１３４は、ＭＢＭＳ伝送に使用しようとする免許が不要な或る周波数が、他の通信によって使用されているか否かを判定してよい。
【０１１２】
制御部１２は、例示的に、システム情報管理・記憶部１２１及び無線回線制御部１２２を備える。
【０１１３】
無線回線制御部１２２は、例示的に、ＭＣＥ４との間で、制御情報の送受信を行なう。
【０１１４】
ＭＭＥ３へ送信される制御情報は、例示的に、ＭＣＥ４に対して免許が不要な周波数の使用可否の確認を要求する周波数使用可否確認要求や、ＭＣＥ４に対して免許が不要な周波数の使用の可否を示す周波数使用可否情報である。また、ＭＣＥ４から受信する制御情報は、例示的に、後述するＭＢＳＦＮ  ＩＤやＭＢＳＦＮデータを受信する無線端末２を識別するＭ−ＲＮＴＩ（MBMS Radio Network Temporaly ID）、使用周波数、変調方式である。
【０１１５】
無線回線制御部１２２は、複数のｅＮＢ１によって共有される複数の周波数のうち少なくとも１つの周波数に対して使用可否に関する情報を、ＭＣＥ４宛に送信する第１送信部として機能してよい。これにより、ＭＣＥ４は、周波数毎の無線品質に応じてＭＢＳＦＮ伝送に使用する周波数を選択することができる。
【０１１６】
無線回線制御部１２２は、送信部１１に対して、変調方式や、符号化率、無線リソース、周波数等に関する情報を入力してよい。また、無線回線制御部１２２は、受信部１３に対して、無線リソースや、周波数等に関する情報を入力してよい。
【０１１７】
図５は、実施形態の無線通信システム１００における無線回線制御部１２２の機能構成を模式的に示す図である。
【０１１８】
無線回線制御部１２２は、例示的に、スケジューラ１２２１、通信継続時間制御部１２２２、及び、使用周波数制御部１２２３を備えてよい。
【０１１９】
使用周波数制御部１２２３は、例示的に、ＭＣＥ４から通知された周波数を用いて、無線端末２に対して、ＭＢＳＦＮ伝送を行なう。
【０１２０】
スケジューラ１２２１は、例示的に、ＭＣＥ４から通知された送信タイミングに基づき、無線端末２に対して、ＭＢＳＦＮ伝送を行なう。
【０１２１】
通信継続時間制御部１２２２は、例示的に、ＭＣＥ４から通知された通信継続時間内において、無線端末２に対して、ＭＢＳＦＮ伝送を行なう。
【０１２２】
免許が不要な周波数帯であるUnlicensed bandを用いる場合には、連続送信が許容される最長の通信継続時間（例えば、日本では４ｍｓ）が規定されていることがある。別言すれば、通信継続時間が規定されている最長の時間に達した場合に、実施中の送信を停止し、使用中の周波数（別言すれば、「無線リソース」）を解放することが規定されている。
【０１２３】
そこで、通信継続時間が所定の時間に達した場合に使用中の無線リソースを解放するように、通信継続時間制御部１２２２は、ＭＣＥ４から通知された通信継続時間内において無線端末２に対してＭＢＳＦＮ伝送を行なってよい。
【０１２４】
システム情報管理・記憶部１２１は、例示的に、システム情報を記憶し、管理する。また、システム情報管理・記憶部１２１は、通常のセルＩＤを記憶し、管理してもよい。
【０１２５】
送信部１１は、複数の周波数のうちの少なくとも１つの周波数を使用して、同一データを無線端末２へ送信する第２送信部として機能してよい。これにより、ｅＮＢ１は、適切な周波数を使用してＭＢＳＦＮ伝送を実施できる。
【０１２６】
送信部１１は、パイロット作成部１１１、ＭＢＳＦＮ制御情報作成部１１２、符号化・変調部１１３、送信多元接続処理部１１４、及び、送信無線部１１５を備えてよい。
【０１２７】
パイロット作成部１１１は、例示的に、システム情報管理・記憶部１２１から取得したＭＢＳＦＮ  ＩＤを基に、パイロット信号を作成する。そして、パイロット作成部１１１は、作成したパイロット信号を符号化・変調部１１３へ出力してよい。
【０１２８】
ＭＢＳＦＮ制御情報作成部１１２は、例示的に、システム情報管理・記憶部１２１及び無線回線制御部１２２から取得した無線方式や、符号化率、無線リソース等に関する情報を基に、ＭＢＳＦＮ制御情報を作成する。
【０１２９】
符号化・変調部１１３は、例示的に、パイロット作成部１１１、及び、ＭＢＳＦＮ制御情報作成部１１２から入力された信号に対して、無線回線制御部１２２から取得した変調方式や符号化率に関する情報を基に、符号化及び変調を施す。更に、符号化・変調部１１３は、入力された信号を無線フレーム、スロット又はサブフレームにマッピングしてよい。そして、符号化・変調部１１３は、マッピングした信号を送信多元接続処理部１１４へ入力してよい。
【０１３０】
送信多元接続処理部１１４は、例示的に、符号化・変調部１１３から入力された信号を、多元接続に対応する信号（通信方式がＬＴＥであれば、「ＯＦＤＭＡ信号」または「ＯＦＤＭ信号」であってよい。）に変換する。
【０１３１】
送信無線部１１５は、例示的に、送信多元接続処理部１１４から入力された信号の周波数を無線周波数へ変換する。更に、送信無線部１１５は、入力された信号を増幅してよい。その後、送信無線部１１５は、入力された信号を、免許が不要な周波数を用いてアンテナ１０を介して無線端末２へ送信してよい。
【０１３２】
また、送信無線部１１５は、入力された信号を、免許が必要な周波数を用いてアンテナ１０を介して無線端末２へ送信してもよい。
【０１３３】
図６は、実施形態の無線通信システム１００におけるＭＢＭＳデータを受信する無線端末２の機能構成を模式的に示す図である。
【０１３４】
無線端末２は、例示的に、アンテナ２０を備え、受信部２１、制御部２２、及び、送信部２３を備えてよい。
【０１３５】
送信部２３は、例示的に、アンテナ２０を介して、免許が不要な周波数を用いて、送信データを送信する。送信部２３は、送信無線部２３１、送信直交多元接続処理部２３２、及び、符号化・変調部２３３を備えてよい。
【０１３６】
符号化・変調部２３３は、例示的に、図示しない外部装置から、送信データの信号の入力を受ける。そして、符号化・変調部２３３は、受信した信号を符号化してよい。更に、符号化・変調部２３３は、符号化を施した信号に対して変調処理を施してよい。符号化・変調部２３３は、所定の変調符号化方式又は後述する制御部２２の端末設定制御部２２１から指示された変調符号化方式に対応する方法で、符号化及び変調を行なってよい。そして、符号化・変調部２３３は、符号化及び変調処理を施した信号を送信直交多元接続処理部２３２へ入力してよい。
【０１３７】
送信直交多元接続処理部２３２は、例示的に、符号化・変調部２３３から入力された信号を、多元接続に対応する信号（通信方式がＬＴＥであれば、「ＯＦＤＭＡ信号」または「ＯＦＤＭ信号」であってよい。）に変換する。そして、送信直交多元接続処理部２３２は、変換した信号を送信無線部２３１へ入力してよい。
【０１３８】
送信無線部２３１は、例示的に、送信直交多元接続処理部２３２により変換された信号の入力を受ける。また、送信無線部２３１は、送信対象の周波数帯域の指示を後述する制御部２２の端末設定制御部２２１から受けてよい。そして、送信無線部２３１は、信号を増幅し、更に、ベースバンド信号から無線周波数へと変換してよい。そして、送信無線部２３１は、無線周波数へ変換した信号を、アンテナ２０を介してｅＮＢ１ｂへ送信してよい。送信無線部２３１は、ｅＮＢ１への信号を、免許が不要な周波数を用いて送信してよい。
【０１３９】
また、送信無線部２３１は、ｅＮＢ１への信号を、免許が必要な周波数を用いて送信してもよい。
【０１４０】
制御部２２は、例示的に、端末設定制御部２２１、システム情報記憶部２２２、及び、無線回線制御部２２３を備える。
【０１４１】
端末設定制御部２２１は、例示的に、システム情報の入力を後述する受信部２１のシステム情報抽出部２１４から受ける。そして、端末設定制御部２２１は、システム情報を基に以下の制御を行なってよい。
【０１４２】
端末設定制御部２２１は、無線回線制御部２２３により指定された制御情報を基に無線端末２に割り当てられた無線リソースを判定すると共に、適用されている変調符号化方式を判定してよい。そして、端末設定制御部２２１は、受信無線部２１１、受信直交多元接続処理部２１２、復調・復号部２１３、送信無線部２３１、送信直交多元接続処理部２３２及び符号化・変調部２３３の動作を制御してよい。
【０１４３】
また、端末設定制御部２２１は、例示的に、免許が不要な周波数の使用の通知を無線回線制御部２２３から受ける。そして、端末設定制御部２２１は、無線端末２で免許が不要な周波数の無線リソースを使用すると判定してよい。端末設定制御部２２１は、受信無線部２１１、受信直交多元接続処理部２１２、復調・復号部２１３、送信無線部２３１、送信直交多元接続処理部２３２及び符号化・変調部２３３に使用する無線リソースの通知を行なってよい。
【０１４４】
システム情報記憶部２２２は、例示的に、システム情報の入力をシステム情報抽出部２１４から受ける。そして、システム情報記憶部２２２は、ｅＮＢ１のシステム情報を記憶してよい。また、システム情報記憶部２２２は、無線回線制御部２２３からの指示に従って、ｅＮＢ１のシステム情報を記憶してよい。
【０１４５】
無線回線制御部２２３は、例示的に、受信部２１の後述する制御信号抽出部２１５が抽出したセルＩＤの入力を制御信号抽出部２１５から受ける。また、無線回線制御部２２３は、制御信号抽出部２１５が抽出したＭＢＳＦＮ制御情報を取得してよい。更に、無線回線制御部２２３は、システム情報の入力をシステム情報抽出部２１４から受けてよい。
【０１４６】
受信部２１は、例示的に、免許が不要な周波数を用いてｅＮＢ１から送信された受信データを、アンテナ２０を介して受信する。また、受信部２１は、データの受信処理の同期確立を同期信号に基づいて行なってよい。
【０１４７】
受信部２１は、複数のｅＮＢ１によって共有される複数の周波数毎の無線品質を基に選択された周波数を示す制御情報を、複数のｅＮＢ１の少なくとも１つから受信する第１受信部として機能してよい。また、受信部２１は、受信した制御情報によって示された周波数を使用して、複数のｅＮＢ１が無線端末２宛に送信した同一データを受信する第２受信部として機能してよい。これらにより、無線端末２は、ＭＣＥ４によって制御された周波数を用いてＭＢＭＳデータを受信することができる。
【０１４８】
制御情報は、同一データの受信に使用する復調方式、符号化率、及び、送信タイミングの少なくとも１つを示す情報を含んでよい。これにより、無線端末２は、ＭＢＭＳデータの受信を確実に行なうことができる。
【０１４９】
受信部２１は、受信無線部２１１、受信直交多元接続処理部２１２、複調・復号部２１３、システム情報抽出部２１４、制御信号抽出部２１５、パイロット抽出部２１６、パイロット作成部２１７、及び、同期部２１８として機能してよい。
【０１５０】
受信無線部２１１は、例示的に、ｅＮＢ１から送出された信号を、免許が不要な周波数を用いて、アンテナ２０を介して受信する。ここで、受信無線部２１１は、受信対象の周波数帯域の指示を端末設定制御部２２１から受けてよい。そして、受信無線部２１１は、受信信号を増幅し、更に、無線周波数からベースバンド信号へと変換してよい。また、受信無線部２１１は、ベースバンド信号に変換した信号を受信直交多元接続処理部２１２へ入力してよい。
【０１５１】
また、受信無線部２１１は、ｅＮＢ１から送出された信号を、免許が必要な周波数を用いて、アンテナ２０を介して受信してもよい。
【０１５２】
受信直交多元接続処理部２１２は、例示的に、ベースバンド信号に変換された受信信号に対して、多重化された受信を分離する処理を施す。そして、受信直交多元接続処理部２１２は、処理を施した受信信号を復調・復号部２１３へ入力してよい。
【０１５３】
復調・復号部２１３は、例示的に、受信直交多元接続処理部２１２から入力された信号に復調処理を施す。更に、復調・復号部２１３は、復調処理を施した信号に対して復号処理を施してよい。復調・復号部２１３は、所定の変調符号化方式又は端末設定制御部２２１から指示された変調符号化方式に対応する方法で、復調及び復号を行なってよい。そして、復調・復号部２１３は、復調・復号処理を施した信号を出力してよい。
【０１５４】
システム情報抽出部２１４は、例示的に、ｅＮＢ１から送信されるシステム情報を、復調・復号部２１３から入力された信号から抽出する。そして、システム情報抽出部２１４は、抽出したシステム情報をシステム情報記憶部２２２に記憶させてよい。また、システム情報抽出部２１４は、抽出したシステム情報を端末設定制御部２２１及び無線回線制御部２２３へ入力してよい。システム情報抽出部２１４が抽出するシステム情報には、ネットワーク識別情報が含まれてよい。
【０１５５】
制御信号抽出部２１５は、例示的に、ｅＮＢ１が下り制御チャネルであるＰＤＣＣＨ（Physical Downlink Control Channel）で送信したＬ（Layer）１／Ｌ２のＭＢＳＦＮ制御情報を、復調・復号部２１３から入力された信号から抽出する。
【０１５６】
ＭＢＳＦＮ制御情報には、セルＩＤや、ＭＢＳＦＮ  ＩＤ、ＭＢＳＦＮセルＩＤ、変調方式等に関する情報が含まれてよい。
【０１５７】
そして、制御信号抽出部２１５は、抽出した制御情報を無線回線制御部２２３へ入力してよい。
【０１５８】
パイロット抽出部２１６は、例示的に、同期部２１８で検出された無線フレームやスロットのタイミングに基づいて、復調・復号部２１３から入力された信号からパイロット信号を抽出する。そして、パイロット抽出部２１６は、抽出したパイロット信号を同期部２１８へ入力してよい。例えば、ＬＴＥシステムの場合であれば、パイロット信号は、ＲＳである。
【０１５９】
パイロット作成部２１７は、例示的に、復調・復号部２１３から入力された信号から、ＰＳＳ及びＳＳＳの同期信号をＣＣ（Component Carrier）毎に作成する。そして、パイロット作成部２１７は、作成した同期信号を同期部２１８へ入力してよい。
【０１６０】
同期部２１８は、例示的に、パイロット抽出部２１６から入力された同期信号と、パイロット作成部２１７から入力された同期信号とを基に、ｅＮＢ１との同期を行なう。
【０１６１】
なお、無線端末２は、上述したｅＮＢ１と同様に、使用する周波数（「無線リソース」と称されてもよい。）が他の通信によって使用されていないことを確認した後に、ｅＮＢ１と通信を行なってよい。別言すれば、無線端末２は、ＬＢＴ（「ＣＳＭＡ／ＣＡ」と称されてもよい。）に対応してよい。
【０１６２】
また、無線端末２は、上述したｅＮＢ１と同様に、連続通信時間の上限に達した際に、使用中の周波数（「無線リソース」と称されてもよい。）を解放してよい。
【０１６３】
図７は、実施形態の無線通信システム１００における周波数の選択方法の第１の例を説明する図である。
【０１６４】
図７に示す例においては、無線通信システム１００が３つのｅＮＢ＃１〜＃３を備え、各ｅＮＢ１の無線測定部１３４がUnlicensed Bandの周波数ｆ１〜ｆ５の使用確認を行なう場合を想定する。ｅＮＢ＃１の無線エリアでは周波数ｆ１、ｆ３及びｆ４が使用可能であり、ｅＮＢ＃２の無線エリアでは周波数ｆ１〜ｆ３及びｆ５が使用可能であり、ｅＮＢ＃３の無線エリアでは周波数ｆ２、ｆ４及びｆ５が使用可能である。
【０１６５】
図７に示す例において、ＭＣＥ４の周波数選択部４４は、各ｅＮＢ＃１〜＃３において共通に使用可能な周波数ｆ２及びｆ５を、ＭＢＦＳＮ伝送に用いる周波数として選択してよい（符号Ａ１及びＡ２を参照）。
【０１６６】
なお、ＭＢＦＳＮ伝送に用いられる周波数は、１つであってもよいし、複数であってもよい。
【０１６７】
図８は、実施形態の無線通信システム１００における周波数の選択方法の第２の例を説明する図である。
【０１６８】
図８に示す例においては、無線通信システム１００が５つのｅＮＢ＃１〜＃５を備え、各ｅＮＢ１の無線測定部１３４がUnlicensed Bandの周波数ｆ１〜ｆ６の使用確認を行なう場合を想定する。ｅＮＢ＃１の無線エリアでは周波数ｆ１、ｆ３及びｆ５が使用可能であり、ｅＮＢ＃２の無線エリアでは周波数ｆ１〜ｆ４及びｆ６が使用可能であり、ｅＮＢ＃３の無線エリアでは周波数ｆ１及びｆ３〜ｆ６が使用可能である。また、ｅＮＢ＃４の無線エリアでは周波数ｆ２〜ｆ４及びｆ６が使用可能であり、ｅＮＢ＃５の無線エリアでは周波数ｆ２、ｆ３、ｆ５及びｆ６が使用可能である。
【０１６９】
図７に示す例において、ＭＣＥ４の周波数選択部４４は、周波数ｆ１、ｆ３及びｆ６を、ＭＢＦＳＮ伝送に用いる周波数として選択してよい（符号Ｂ１〜Ｂ３を参照）。周波数ｆ１はｅＮＢ＃１〜＃３において共通に使用可能であり、周波数ｆ３は各ｅＮＢ＃１〜＃５において共通に使用可能であり、周波数ｆ６はｅＮＢ＃２〜＃５において共通に使用可能である。
【０１７０】
ＭＣＥ４の周波数選択部４４は、ｅＮＢ＃１〜＃３に対して周波数ｆ１を用いたＭＢＦＳＮ伝送を実施させ、ｅＮＢ＃１〜＃５に対して周波数ｆ３を用いたＭＢＦＳＮ伝送を実施させてよい。また、周波数選択部４４は、ｅＮＢ＃２〜＃５に対して周波数ｆ６を用いたＭＢＦＳＮ伝送を実施させてよい。
【０１７１】
周波数選択部４４は、各ｅＮＢ１に対して周波数ｆ３及びｆ６を用いたＭＢＦＳＮ伝送を実施させる等、一部の周波数を用いて各ｅＮＢ１に対してＭＢＦＳＮ伝送を実施させてもよい。
【０１７２】
別言すれば、周波数選択部４４は、同一データの送信を行なう複数のｅＮＢ１を選択してよい。これにより、全てのｅＮＢ１で同一の周波数を使用することができない場合には、一部のｅＮＢ１を用いてＭＢＳＦＮ伝送を実施することができる。
【０１７３】
〔Ａ−２〕動作例
上述の如く構成された実施形態の無線通信システム１００における周波数の初期選択動作の第１の例を、図９に示すシーケンス図（処理Ｃ１〜Ｃ１１）に従って説明する。図９に示す例においては、無線通信システム１００が２つのｅＮＢ＃１及び＃２を備える例を説明する。
【０１７４】
ＭＭＥ３は、ＭＣＥ４に対して、セッション開始の指示を発行してよい（処理Ｃ１）。
【０１７５】
ＭＣＥ４は、ｅＮＢ＃１及び＃２に対して、周波数使用可否確認要求を送信してよい（処理Ｃ２）。
【０１７６】
ｅＮＢ＃１及び＃２は、Unlicensed bandの周波数の使用可否確認を行なってよい（処理Ｃ３）。なお、処理Ｃ３の詳細については、図１１及び図１２を用いて後述する。
【０１７７】
ｅＮＢ＃１及び＃２は、ＭＣＥ４に対して、周波数の使用可否確認の結果に基づいた周波数使用可否情報を送信してよい（処理Ｃ４）。
【０１７８】
ＭＣＥ４は、受信した周波数使用可否情報に基づき、ＭＢＳＦＮ伝送に使用する周波数を選択してよい（処理Ｃ５）。
【０１７９】
ＭＣＥ４は、ｅＮＢ１＃１及び＃２に対して、ＭＢＳＦＮ  ＩＤ等のＭＢＳＦＮ制御情報を送信してよい（処理Ｃ６）。
【０１８０】
ＭＣＥ４は、ＭＢＳＦＮ伝送のスケジューリングを実施してよい（処理Ｃ７）。
【０１８１】
ＭＣＥ４は、実施したスケジューリングの結果を基に、ＭＢＳＦＮ制御情報（例えば、「送信タイミング」、「使用周波数」、「変調方式」、「符号化率」の少なくとも１つであってよい。）を、ｅＮＢ＃１及び＃２に対して送信してよい（処理Ｃ８）。
【０１８２】
ｅＮＢ＃１及び＃２は、受信したＭＢＳＦＮ制御情報を、無線端末２に宛てに送信してよい（処理Ｃ９）。
【０１８３】
ＭＢＭＳ  ＧＷ８は、ｅＮＢ＃１及び＃２に対して、ＭＢＭＳデータ（別言すれば、「コンテンツデータ」）を送信してよい（処理Ｃ１０）。
【０１８４】
ｅＮＢ＃１及び＃２は、受信したＭＢＭＳデータを、無線端末２宛てにＭＢＳＦＮ伝送してよい（処理Ｃ１１）。そして、処理は終了してよい。
【０１８５】
次に、実施形態の無線通信システム１００における周波数の継続選択動作例を、図１０に示すシーケンス図（処理Ｄ１〜Ｄ１０）に従って説明する。図１０に示す例においては、無線通信システム１００が２つのｅＮＢ＃１及び＃２を備える例を説明する。
【０１８６】
ｅＮＢ１＃１及び＃２は、或るUnlicensed bandの周波数を使用したＭＢＦＳＮ伝送を開始してから通信継続時間が経過した場合に、使用中の周波数を開放してよい。そして、ｅＮＢ１＃１及び＃２は、ＭＣＥ４に対して、周波数解放通知を送信してよい（処理Ｄ１）。
【０１８７】
ＭＣＥ４は、ｅＮＢ＃１及び＃２に対して、周波数使用可否確認要求を送信してよい（処理Ｄ２）。
【０１８８】
ｅＮＢ＃１及び＃２は、Unlicensed bandの周波数の使用可否確認を行なってよい（処理Ｄ３）。なお、処理Ｄ３の詳細については、図１１及び図１２を用いて後述する。
【０１８９】
ｅＮＢ＃１及び＃２は、ＭＣＥ４に対して、周波数の使用可否確認の結果に基づいた周波数使用可否情報を送信してよい（処理Ｄ４）。
【０１９０】
ＭＣＥ４は、受信した周波数使用可否情報に基づき、ＭＢＳＦＮ伝送に使用する周波数を選択してよい（処理Ｄ５）。
【０１９１】
ＭＣＥ４は、ＭＢＳＦＮ伝送のスケジューリングを実施してよい（処理Ｄ６）。
【０１９２】
ＭＣＥ４は、実施したスケジューリングの結果を基に、ＭＢＳＦＮ制御情報（例えば、「送信タイミング」、「使用周波数」、「変調方式」、「符号化率」の少なくとも１つであってよい。）を、ｅＮＢ＃１及び＃２に対して送信してよい（処理Ｄ７）。
【０１９３】
ｅＮＢ＃１及び＃２は、受信したＭＢＳＦＮ制御情報を、無線端末２に宛てに送信してよい（処理Ｄ８）。
【０１９４】
ＭＢＭＳ  ＧＷ８は、ｅＮＢ＃１及び＃２に対して、ＭＢＭＳデータ（別言すれば、「コンテンツデータ」）を送信してよい（処理Ｄ９）。
【０１９５】
ｅＮＢ＃１及び＃２は、受信したＭＢＭＳデータを、無線端末２宛てにＭＢＳＦＮ伝送してよい（処理Ｄ１０）。そして、処理は終了してよい。
【０１９６】
このように、ＭＣＥ４の周波数選択部４４は、複数のｅＮＢ１による同一データの送信開始からの経過時間を算出し、複数のｅＮＢ１が同一データの送信に使用する周波数の再選択を行なう制御部として機能してよい。また、ｅＮＢ１の無線測定部１３４は、複数のｅＮＢ１による同一データの送信開始からの経過時間を算出し、周波数毎の無線品質の再測定を行なう制御部として機能してよい。これらにより、或る周波数がＭＢＳＦＮ伝送によって占有され続けることを防止できる。
【０１９７】
次に、実施形態のｅＮＢ１における受信電力ＲＰ（Received Power）の測定動作の第１の例を、図１１に示すフローチャート（処理Ｅ１〜Ｅ７）に従って説明する。図１１に示す例においては、ｅＮＢ１が周波数の使用可否の判定を行なう測定動作例について説明する。
【０１９８】
無線測定部１３４は、ＭＣＥ４から、Unlicensed bandの周波数に関する情報（「周波数情報」と称されてよい。）を受信してよい（処理Ｅ１）。
【０１９９】
無線測定部１３４は、受信電力閾値ＲＰｔｈを取得してよい（処理Ｅ２）。受信電力閾値ＲＰＲＱｔｈは、例えば、システム情報管理・記憶部１２１に記憶されていてよい。
【０２００】
無線測定部１３４は、受信部１３が受信するUnlicensed bandの周波数を設定してよい（処理Ｅ３）。
【０２０１】
無線測定部１３４は、設定した周波数において受信した信号の受信電力ＲＰを測定してよい（処理Ｅ４）。
【０２０２】
無線測定部１３４は、受信電力ＲＰが受信電力閾値ＲＰｔｈより大きいか（別言すれば、「ＲＰ＞ＲＰｔｈ」であるか）を判定してよい（処理Ｅ５）。
【０２０３】
ＲＰ＞ＲＰｔｈでない場合には（処理Ｅ５のＮｏルート参照）、無線測定部１３４は、無線回線制御部１２２を介して、測定した周波数が使用可能であることを示す使用可否情報をＭＣＥ４に送信してよい（処理Ｅ６）。
【０２０４】
一方、ＲＰ＞ＲＰｔｈである場合には（処理Ｅ５のＹｅｓルート参照）、無線測定部１３４は、無線回線制御部１２２を介して、測定した周波数が使用不可能であることを示す使用可否情報を送信してよい（処理Ｅ６）。
【０２０５】
そして、無線回線制御部１２２は、複数の周波数が使用可能であるかを判定してよい（処理Ｅ７）。
【０２０６】
複数の周波数が使用可能でない場合には（処理Ｅ７のＮｏルート参照）、処理は処理Ｅ３へ戻る。
【０２０７】
一方、複数の周波数が使用可能である場合には（処理Ｅ７のＹｅｓルート参照）、処理は終了する。
【０２０８】
なお、無線回線制御部１２２は、受信品質ＲＱ（Received Quality）やチャネル品質ＣＱ（Channel Quality）が閾値よりも大きいかを判断することによって、周波数の使用可否の判断を行なってもよい。
【０２０９】
次に、実施形態のｅＮＢ１における受信電力ＲＰの測定動作の第２の例を、図１２に示すフローチャート（処理Ｆ１〜Ｆ５）に従って説明する。図１２に示す例においては、ＭＣＥ４が周波数の使用可否の判定を行なう測定動作例について説明する。
【０２１０】
無線測定部１３４は、ＭＣＥ４から、Unlicensed bandの周波数に関する情報（「周波数情報」と称されてよい。）を受信してよい（処理Ｆ１）。
【０２１１】
無線測定部１３４は、受信部１３が受信するUnlicensed bandの周波数を設定してよい（処理Ｆ２）。
【０２１２】
無線測定部１３４は、設定した周波数において受信した信号の受信電力ＲＰを測定してよい（処理Ｆ３）。
【０２１３】
無線測定部１３４は、無線回線制御部１２２を介して、測定した受信電力ＲＰをＭＣＥ４に通知してよい（処理Ｆ４）。
【０２１４】
そして、無線回線制御部１２２は、複数の周波数が使用可能であるかを判定してよい（処理Ｆ５）。無線回線制御部１２２は、複数の周波数が使用可能であるかを、ＭＣＥ４からの通知によって認識してよい。
【０２１５】
複数の周波数が使用可能でない場合には（処理Ｆ５のＮｏルート参照）、処理は処理Ｆ２へ戻る。
【０２１６】
一方、複数の周波数が使用可能である場合には（処理Ｆ５のＹｅｓルート参照）、処理は終了する。
【０２１７】
なお、無線回線制御部１２２は、受信品質ＲＱ（Received Quality）やチャネル品質ＣＱ（Channel Quality）を測定してＭＣＥ４へ通知してもよい。
【０２１８】
〔Ａ−３〕ハードウェア構成例
図１３は、ＭＢＳＦＮ伝送を実施するｅＮＢ１のハードウェア構成を例示する図である。
【０２１９】
ｅＮＢ１は、例示的に、図４を用いて上述したアンテナ１０の他に、ＬＳＩ（Large-Scale Integrated circuit）１０ａ、及び、ＤＳＰ（Digital Signal Processor）１０ｂを備える。なお、ＤＳＰ１０ｂは、例えば、ＣＰＵ（Central Processing Unit）であってもよいし、ＤＳＰとＣＰＵとの組み合わせであってもよい。また、図１３に示すメモリ１４はＤＳＰ１０ｂの内部メモリとして図示されているが、これに限定されるものではなく、メモリ１４はＤＳＰ１０ｂの外部メモリとしてＤＳＰ１０ｂとは独立して備えられてもよい。
【０２２０】
ＬＳＩ１０ａは、例示的に、図４を用いて上述した、送信無線部１１５、及び、受信無線部１３１として機能する。
【０２２１】
ＤＳＰ１０ｂは、例示的に、種々の制御や演算を行なう処理装置であり、メモリ１４に格納されたプログラムを実行することにより、種々の機能を実現する。すなわち、ＤＳＰ１０ｂは、図１３に示すように、Ｉ／Ｆ１１ｂとして機能し、また図４を用いて上述した制御部１２、受信部１３、及び、送信部１１として機能してよい。ただし、受信部１３が備える機能のうち受信無線部１３１としての機能は、ＬＳＩ１０ａに備えられるため、ＤＳＰ１０ｂには備えられなくてよい。また、送信部１１が備える機能のうち送信無線部１１５としての機能は、ＬＳＩ１０ａに備えられるため、ＤＳＰ１０ｂには備えられなくてよい。
【０２２２】
なお、これらのＩ／Ｆ１１ｂ、制御部１２、受信部１３、及び、送信部１１としての機能を実現するためのプログラムは、コンピュータ読取可能な記録媒体に記録された形態で提供されてよい。コンピュータ読取可能な記録媒体は、例えばフレキシブルディスク、ＣＤ、ＤＶＤ、ブルーレイディスク、磁気ディスク、光ディスク、光磁気ディスク等である。なお、ＣＤはＣＤ−ＲＯＭ、ＣＤ−Ｒ、ＣＤ−ＲＷ等であってよく、ＤＶＤはＤＶＤ−ＲＯＭ、ＤＶＤ−ＲＡＭ、ＤＶＤ−Ｒ、ＤＶＤ＋Ｒ、ＤＶＤ−ＲＷ、ＤＶＤ＋ＲＷ、ＨＤ  ＤＶＤ等であってよい。
【０２２３】
そして、コンピュータ（本実施形態ではＤＳＰ１０ｂ）は上述した記録媒体から図示しない読取装置を介してプログラムを読み取って内部記録装置または外部記録装置に転送し格納して用いてよい。また、プログラムを、例えば磁気ディスク，光ディスク，光磁気ディスク等の記憶装置（記録媒体）に記録しておき、記憶装置から通信経路を介してコンピュータに提供してもよい。
【０２２４】
Ｉ／Ｆ１１ｂ、制御部１２、受信部１３、及び、送信部１１としての機能を実現する際には、内部記憶装置（本実施形態ではメモリ１４）に格納されたプログラムがコンピュータ（本実施形態ではＤＳＰ１０ｂ）によって実行されてよい。また、記録媒体に記録されたプログラムをコンピュータが読み取って実行してもよい。
【０２２５】
Ｉ／Ｆ１１ｂは、例示的に、ｅＮＢ１ｂがＭＣＥ４やＭＢＭＳ  ＧＷ６等の外部装置と通信を行なうためのインタフェース装置である。Ｉ／Ｆ１１ｂとしては、例えば、有線ＬＡＮ（Local Area Network）や無線ＬＡＮ、ＷＷＡＮ（Wireless Wide Area Network）のネットワークの規格に対応する各種インタフェースカードが用いられる。Ｉ／Ｆ１１ｂは、Ｓ１、Ｘ２、Ｍ１又はＭ２等の各種インタフェースを介して、外部装置と通信を行なってよい。
【０２２６】
メモリ１４は、例示的に、ＲＯＭ（Read Only Memory）及びＲＡＭ（Random Access Memory）を含む記憶装置である。メモリ１４のＲＯＭには、ＢＩＯＳ（Basic Input/Output System）等のプログラムが書き込まれてよい。メモリ１４のソフトウェアプログラムは、ＤＳＰ１０ｂに適宜に読み込まれて実行されてよい。また、メモリ１４のＲＡＭは、一次記録メモリあるいはワーキングメモリとして利用されてよい。
【０２２７】
図１４は、ＭＢＭＳデータを受信する無線端末２のハードウェア構成を例示する図である。
【０２２８】
無線端末２は、例示的に、図６を用いて上述したアンテナ２０の他に、ＬＳＩ２０ａ、ＤＳＰ２０ｂ、メモリ２４、表示部２５、マイク２６、及び、拡声部２７を備える。なお、ＤＳＰ２０ｂは、例えば、ＣＰＵであってもよいし、ＤＳＰとＣＰＵとの組み合わせであってもよい。
【０２２９】
ＬＳＩ２０ａは、例示的に、図６を用いて上述した、送信無線部２３１、及び、受信無線部２１１として機能する。
【０２３０】
ＤＳＰ２０ｂは、例示的に、種々の制御や演算を行なう処理装置であり、メモリ２４に格納されたプログラムを実行することにより、種々の機能を実現する。すなわち、ＤＳＰ２０ｂは、図１４に示すように、図６を用いて上述した制御部２２、受信部２１、及び、送信部２３として機能してよい。ただし、受信部２１が備える機能のうち受信無線部２１１としての機能は、ＬＳＩ２０ａに備えられるため、ＤＳＰ２０ｂには備えられなくてよい。また、送信部２３が備える機能のうち送信無線部２３１としての機能は、ＬＳＩ２０ａに備えられるため、ＤＳＰ２０ｂには備えられなくてよい。
【０２３１】
なお、これらの制御部２２、受信部２１、及び、送信部２３としての機能を実現するためのプログラムは、コンピュータ読取可能な記録媒体に記録された形態で提供されてよい。コンピュータ読取可能な記録媒体は、例えばフレキシブルディスク、ＣＤ、ＤＶＤ、ブルーレイディスク、磁気ディスク、光ディスク、光磁気ディスク等である。なお、ＣＤはＣＤ−ＲＯＭ、ＣＤ−Ｒ、ＣＤ−ＲＷ等であってよく、ＤＶＤはＤＶＤ−ＲＯＭ、ＤＶＤ−ＲＡＭ、ＤＶＤ−Ｒ、ＤＶＤ＋Ｒ、ＤＶＤ−ＲＷ、ＤＶＤ＋ＲＷ、ＨＤ  ＤＶＤ等であってよい。
【０２３２】
そして、コンピュータ（本実施形態ではＤＳＰ２０ｂ）は上述した記録媒体から図示しない読取装置を介してプログラムを読み取って内部記録装置または外部記録装置に転送し格納して用いてよい。また、プログラムを、例えば磁気ディスク，光ディスク，光磁気ディスク等の記憶装置（記録媒体）に記録しておき、記憶装置から通信経路を介してコンピュータに提供してもよい。
【０２３３】
制御部２２、受信部２１、及び、送信部２３としての機能を実現する際には、内部記憶装置（本実施形態ではメモリ２４）に格納されたプログラムがコンピュータ（本実施形態ではＤＳＰ２０ｂ）によって実行されてよい。また、記録媒体に記録されたプログラムをコンピュータが読み取って実行してもよい。
【０２３４】
メモリ２４は、例示的に、ＲＯＭ（Read Only Memory）及びＲＡＭ（Random Access Memory）を含む記憶装置である。メモリ２４のＲＯＭには、ＢＩＯＳ（Basic Input/Output System）等のプログラムが書き込まれてよい。メモリ２４のソフトウェアプログラムは、ＤＳＰ２０ｂに適宜に読み込まれて実行されてよい。また、メモリ２４のＲＡＭは、一次記録メモリあるいはワーキングメモリとして利用されてよい。
【０２３５】
表示部２５は、例示的に、液晶ディスプレイやＣＲＴ（Cathode Ray Tube），電子ペーパーディスプレイ等であり、オペレータ等に対する各種情報を表示する。表示部２５は、図示しない入力装置と組み合わされていてもよく、例えば、タッチパネルでもよい。
【０２３６】
マイク２６は、例示的に、無線端末２のユーザの音声等をＤＳＰ２０ｂへ入力する。
【０２３７】
拡声部２７は、例示的に、ＤＳＰ２０ｂからの入力を基に、音声を出力する。
【０２３８】
〔Ｂ〕第１変形例
第１変形例においては、図２の（２）に示したように、ＭＣＥ４が各ｅＮＢ１ａの内部に備えられる例について説明する。
【０２３９】
図１５は、実施形態の第１変形例の無線通信システム１００におけるＭＢＳＦＮ伝送を実施する基地局１ａの機能構成を模式的に示す図である。
【０２４０】
基地局１ａは、図１５に例示するように、図４に示した送信部１１、制御部１２、及び、受信部１３としての機能に加えて、ＭＣＥ４として機能する。
【０２４１】
ＭＣＥ４は、図３に示したＭＣＥ４と同様に、セッション制御部４１、スケジューラ４２、コンテンツ制御部４３、及び、周波数選択部４４を備えてよい。
【０２４２】
ＭＣＥ４がＭＭＥ３に組み込まれる場合には、ＭＣＥ４とｅＮＢ１との間の制御情報は、図２の（１）に示したように、ｅＮＢ１とＭＣＥ４との間のインタフェースであるＭ２インタフェースによって伝送されてよい。
【０２４３】
一方、ＭＣＥ４がｅＮＢ１ａに組み込まれる場合には、Ｍ２インタフェースによってＭＣＥ４とｅＮＢ１ａとの間で制御情報が伝送されるだけではなく、同一のｅＮＢ１ａ内のインタフェースを介しても、ＭＣＥ４とｅＮＢ１ａとの間で制御情報が伝送されてよい。ｅＮＢ１ａに備えられるインタフェースは、Ｍ２インタフェースの仕様に準拠しなくてもよい。
【０２４４】
ＭＣＥ４がＭＭＥ３に組み込まれる場合には、ＭＣＥ４配下のｅＮＢ１は、全て同じレベルとして取り扱われてよい。一方、ＭＣＥ４がｅＮＢ１ａに組み込まれる場合には、ＭＣＥ４としての機能を持つｅＮＢ１ａがマスタとして取り扱われ、ＭＣＥ４としての機能を持たないｅＮＢ１はスレーブとして取り扱われてよい。別言すれば、ＭＣＥ４としての機能を持つｅＮＢ１ａは主たる基地局として取り扱われ、ＭＣＥ４としての機能を持たないｅＮＢ１は従たる基地局として取り扱われてよい。ただし、ＭＣＥ４としての機能を持つｅＮＢ１をスレーブとすることも可能である。
【０２４５】
図１６は、実施形態の第１変形例の無線通信システム１００におけるＭＢＳＦＮ伝送を実施する基地局１ａのハードウェア構成を例示する図である。
【０２４６】
基地局１ａのＤＳＰ１０ｂは、図１３に例示したＩ／Ｆ１１ｂ、制御部１２、受信部１３、送信部１１、及び、メモリ１４としての機能に加えて、ＭＣＥ４としての機能を備えてよい。
【０２４７】
〔Ｃ〕第２変形例
第２変形例においては、無線通信システム１００に新たなｅＮＢ１を追加する際の制御例について説明する。新たに追加されるｅＮＢ１は、Unlicensed bandの或る周波数を用いて他の基地局（不図示）によって送信されている信号を識別し、他の基地局によって送信されている信号が識別された場合には識別された信号に係る周波数は利用できないと判断してよい。
【０２４８】
実施形態の一例において上述したように、Unlicensed bandを使用する場合には、或る周波数を使用して送信を行なう前に、使用しようとしている周波数が第三者によって使用されていないかを確認することが規定されている。このような周波数の使用確認は、ＬＢＴ（Listen Before Talk）と称されてよい。
【０２４９】
或るｅＮＢ１において、或る周波数が使用できるかを判断する際に、既に使用しようとしている周波数は少なくとも１つの他のｅＮＢ１によってＭＢＳＦＮ伝送に使用されており、且つ或るｅＮＢ１もＭＢＳＦＮ伝送を実施しようとしている場合を想定する。
【０２５０】
或るｅＮＢ１が単に無線回線品質を測定して周波数の使用可否の判断を行なう場合には、他のｅＮＢ１によって実施されているＭＢＳＦＮ伝送の影響により、無線回線品質を測定した周波数は、使用できないと判断されるおそれがある。
【０２５１】
そこで、ｅＮＢ１は、例示的に、ＭＢＳＦＮ伝送によって測定される受信電力を除外して無線回線品質を測定し、無線回線品質を測定した周波数が使用可能か否かを判断する。
【０２５２】
ｅＮＢ１は、以下に示すＭＢＳＦＮパイロット信号の作成方法を利用してよい。（式２）を用いて後述するように、ＭＢＳＦＮ伝送用のパイロット系列を作成する際の初期値には、ＭＢＳＦＮ  ＩＤが使用されてよい。ｅＮＢ１は、ＭＢＳＦＮ  ＩＤを認識することにより、ＭＢＳＦＮで伝送されるパイロット信号列と他のパイロット信号列とを識別してよい。
【０２５３】
ここでは、ＭＣＥ４の配下のｅＮＢ１＃１〜＃３が周波数（別言すれば、「周波数帯域」）ｆ１を用いてＭＢＳＦＮ伝送を実施している場合に、ｅＮＢ＃４も新たに周波数ｆ１を用いてＭＢＳＦＮ伝送を実施する例について説明する。
【０２５４】
ＭＣＥ４又はＭＣＥ４の配下のｅＮＢ＃４は、周波数ｆ１を用いてＭＢＳＦＮ伝送を実施しようとしてよい。ＭＣＥ４は、ｅＮＢ＃４に対して、ＭＢＳＦＮ伝送を実施するよう要求してよい。また、ｅＮＢ＃４は、ＭＣＥ４に対して、ＭＢＳＦＮ伝送を実施するよう要求してもよい。なお、ＭＢＳＦＮ伝送の実施要求は、無線端末２からの要求に起因してもよい。
【０２５５】
ＭＣＥ４は、ｅＮＢ＃４に対して、周波数ｆ１を用いたＭＢＳＦＮ伝送を識別するための識別子であるＭＢＳＦＮ  ＩＤを通知するとともに、ＭＢＳＦＮ伝送を実施する周波数ｆ１が使用可能か否かを判断するために無線回線品質の測定を要求してよい。
【０２５６】
ｅＮＢ＃４の無線測定部１３４（図４を参照）は、無線回線品質の測定を要求されると、通知されたＭＢＳＦＮ  ＩＤを基にＭＢＳＦＮ伝送によって伝送されているパイロット信号列を算出してよい。また、無線測定部１３４は、周波数ｆ１において無線回線品質を測定し、測定した無線回線品質が閾値以下であった場合に、周波数ｆ１が使用可能であると判断してよい。ここで、無線回線品質は、例えば、ＳＩＲ（Signal to Interference Ratio）であってよい。
【０２５７】
ＳＩＲにおいて、所望信号電力は通知されたＭＢＳＦＮ  ＩＤを基に算出したパイロット信号列の受信電力であってよく、干渉信号電力は他のパイロット信号列の受信電力であってよい。
【０２５８】
無線測定部１３４は、他のパイロット信号列の受信電力が閾値より小さい場合に、無線回線品質を測定した周波数ｆ１がＭＢＳＦＮ伝送を実施しているｅＮＢ１＃１〜＃３及び無線端末２以外で使用されていないと判断してよい。別言すれば、無線測定部１３４は、周波数ｆ１がＭＢＳＦＮ伝送に使用可能であると判断してよい。そして、無線測定部１３４は、ＭＣＥ４に対して、判断結果を通知してよい。
【０２５９】
なお、上記ではｅＮＢ＃４が周波数ｆ１の使用の可否を判断してＭＣＥ４に通知することとしたが、限定されるものではない。ｅＮＢ＃４が無線回線品質の測定結果をＭＣＥ４に通知し、ＭＣＥ４が周波数ｆ１の使用の可否を判断してもよい。
【０２６０】
ＭＢＳＦＮ  ＩＤを基にしたパイロット信号列の算出方法は、非特許文献２の「６．１０．２．１」節及び「７．２」節に記載されている。ｅＮＢ１や無線端末２は、通知されたシステム情報としてのＭＢＳＦＮ  ＩＤを基に、実施中のＭＢＳＦＮ伝送のためのパイロットを作成できる。また、ｅＮＢ１や無線端末２は、作成したＭＢＳＦＮ伝送のためのパイロットを用いて、干渉波（又は干渉信号）と期待波（又は期待信号）とを識別できる。また、ｅＮＢ１や無線端末２は、ＭＢＳＦＮ伝送のためのパイロット信号を干渉信号とせず、他の信号を干渉信号と認識することで、無線回線の品質測定を容易に行なうことができる。
【０２６１】
なお、無線回線品質は、ＳＩＲに限定されるものではない。ｅＮＢ１は、所要パイロット以外のパイロットの受信電力を干渉電力として無線回線品質を測定してもよい。また、ｅＮＢ１は、所要パイロット受信電力を除いた受信電力を無線回線品質として測定してもよい。
【０２６２】
ＭＢＳＦＮサブフレームにマッピングされるパイロットは、ＭＢＳＦＮ  ＲＳと称されてよい。ＭＢＳＦＮ  ＲＳは、通常のサブフレームにマッピングされるＲＳとは異なる算出式で導かれる参照信号列であってよく、サブフレーム内の配置（別言すれば、「マッピング」）も異なってよい。
【０２６３】
ＭＢＳＦＮ  ＲＳの算出では、以下の初期値の算出式（式２）において、ＭＢＳＦＮエリアを識別するＩＤであるＭＢＳＦＮ  ＩＤが用いられてよい。別言すれば、（式２）は、ｅＮＢ１がＭＢＳＦＮ伝送を実施する際に併せて送信するＭＢＳＦＮ  ＲＳの算出に用いられてよい。
【０２６４】
また、無線端末２において、ＭＢＳＦＮ  ＲＳを用いた同期や無線回線品質の作成の際にも、以下の（式２）によるＭＢＳＦＮを用いたパイロット（別言すれば、「パイロット信号列」）の算出がされてよい。
【０２６５】
なお、以下の（式２）において、ｎｓは、例示的に、スロット番号である。
【数５】
2017145237.tif 000007
【０２６６】
図１７は、第２変形例の無線通信システム１００におけるＭＢＦＳＮ伝送に使用されるパイロットのマッピング例を説明する図である。
【０２６７】
図１８は、通常のデータ伝送に使用されるパイロットのマッピングの第１の例を説明する図である。また、図１９は、通常のデータ伝送に使用されるパイロットのマッピングの第２の例を説明する図である。
【０２６８】
図１８及び図１９は、基地局に第１のアンテナと第２のアンテナが備えられる場合の通常サブフレームのＲＳのマッピングを例示している。図１８は第１のアンテナによって受信される通常サブフレームのＲＳのマッピングを例示し、図１９は第２のアンテナによって受信される通常サブフレームのＲＳのマッピングを例示している。
【０２６９】
「通常サブフレームのＲＳ」は、「ＣＲＳ（Cell specific RS）」や「Common RS」と称されてもよい。また、セル固有のパイロットや端末共通のパイロットと称されてもよい。
【０２７０】
図１７〜図１９に示される各マスは、リソースエレメントを示してよい。また、図１７〜図１９にそれぞれ示される“Ｒ４”，“Ｒ０”及び“Ｒ１”は、各アンテナポートにおけるＲＳを示してよい。更に、図１８及び図１９に示される“Ｘ”は、各アンテナポートにおいて送信に使用されないエレメントを示してよい。
【０２７１】
図１７と図１８及び図１９とを比較すれば、パイロットの配置は、ＭＢＳＦＮ  ＲＳと通常サブフレームのＲＳとで異なる。
【０２７２】
ＭＢＳＦＮサブフレームで使用するＣＰ（Cyclic Prefix）も、ＭＢＳＦＮ  ＲＳと通常サブフレームのＲＳとで異なる。「ＣＰ」は、「ＧＩ（Guard Interval）」や「冗長部」と称されてもよい。通常サブフレームでは、ＣＰはNormal CPであってよい。一方、ＭＢＳＦＮサブフレームで使用されるＣＰは、できるだけ多くのｅＮＢ１から送信された送信波を合成受信するために、合成可能な時間的な広がり（別言すれば、「時間軸方向の範囲」）を広くするＣＰであってよい。よって、ＭＢＳＦＮサブフレームで使用されるＣＰは、Normal CPよりも時間軸方向に長い（または時間軸方向に拡張された）Extended CPであってよい。
【０２７３】
ＭＢＳＦＮサブフレームにおける１スロット当たりのシンボル数は、通常サブフレームにおける１スロット当たりのシンボル数よりも、１スロット少ない。通常サブフレーム（別言すれば、「Ｎｏｎ−ＭＢＳＦＮサブフレーム」）は１スロット当たり７シンボルであるのに対し、ＭＢＳＦＮサブフレームは１スロット当たり６シンボルである。なお、図１７〜図１９において、各サブフレームは、２スロットを有する。
【０２７４】
データ伝送は、図１７〜図１９に示したサブフレームを単位として実施されてよい。１サブフレームが１ｍｓｅｃである場合には、１ｍｓｅｃを最小単位として、データ伝送が制御され、データが伝送されてよい。
【０２７５】
上述の如く構成された第２変形例の無線通信システム１００におけるｅＮＢ１の追加動作の第１の例を、図２０及び図２１に示すシーケンス図（処理Ｇ１〜Ｇ１９）に従って説明する。図２０及び図２１に示す例においては、ｅＮＢ１が周波数の使用可否の判定を行なう測定動作例について説明する。
【０２７６】
なお、図２０には処理Ｇ１〜Ｇ１２の処理が示され、図２１には処理Ｇ１３〜Ｇ１９の処理が示される。
【０２７７】
図２０及び図２１においては、無線通信システム１００にはＭＢＳＦＮ伝送を実施するｅＮＢ＃１−１とＭＢＳＦＮ伝送を実施しないｅＮＢ＃２−１とが設置されており、ＭＢＳＦＮ伝送を実施するｅＮＢ＃１−ｍが新たに追加される例を示す。
【０２７８】
ＭＭＥ３は、ＭＣＥ４に対して、セッション開始の指示を発行してよい（図２０の処理Ｇ１）。
【０２７９】
ＭＣＥ４は、ｅＮＢ１＃１−１に対して、ＭＢＳＦＮ  ＩＤやＭＢＳＦＮセルＩＤ等のＭＢＳＦＮ制御情報を送信してよい（図２０の処理Ｇ２）。
【０２８０】
ＭＣＥ４は、ＭＢＳＦＮ伝送のスケジューリングを実施してよい（図２０の処理Ｇ３）。
【０２８１】
ＭＣＥ４は、実施したスケジューリングの結果を基に、ＭＢＳＦＮ制御情報（例えば、「送信タイミング」、「使用周波数」、「変調方式」、「符号化率」の少なくとも１つであってよい。）を、ｅＮＢ＃１−１に対して送信してよい（図２０の処理Ｇ４）。
【０２８２】
ｅＮＢ＃１−１は、受信したＭＢＳＦＮ制御情報を、無線端末２に宛てに送信してよい（図２０の処理Ｇ５）。
【０２８３】
ＭＢＭＳ  ＧＷ８は、ｅＮＢ＃１−１に対して、ＭＢＭＳデータ（別言すれば、「コンテンツデータ」）を送信してよい（図２０の処理Ｇ６）。
【０２８４】
ｅＮＢ＃１−１は、受信したＭＢＭＳデータを、無線端末２宛てにＭＢＳＦＮ伝送してよい（図２０の処理Ｇ７）。
【０２８５】
ＭＣＥ４は、新たに追加されたｅＮＢ＃１−ｍに対して、ＭＢＳＦＮ  ＩＤやＭＢＳＦＮセルＩＤ等のＭＢＳＦＮ制御情報を送信してよい（図２０の処理Ｇ８）。
【０２８６】
ｅＮＢ＃１−１及びｅＮＢ＃２−１は、新たに追加されたｅＮＢ＃１−ｍに対して、同期信号及びパイロットを送信してよい（図２０の処理Ｇ９）。
【０２８７】
ｅＮＢ＃１−ｍは、Unlicensed bandの周波数の無線回線品質の測定を行なってよい（図２０の処理Ｇ１０）。
【０２８８】
ｅＮＢ＃１−ｍは、無線回線品質の測定を行なった周波数の使用可否確認を行なってよい（図２０の処理Ｇ１１）。
【０２８９】
ｅＮＢ＃１−ｍは、ＭＣＥ４に対して、周波数の使用可否確認の結果に基づいた周波数使用可否情報を送信してよい（図２０の処理Ｇ１２）。
【０２９０】
ＭＣＥ４は、受信した周波数使用可否情報に基づき、ＭＢＳＦＮ伝送を実施するｅＮＢ＃１−ｍの追加の可否を判断してよい（図２１の処理Ｇ１３）。
【０２９１】
ＭＣＥ４は、ｅＮＢ＃１−ｍに対して、ＭＢＳＦＮ伝送要求を送信してよい（図２１の処理Ｇ１４）。
【０２９２】
ＭＣＥ４は、受信した周波数使用可否情報に基づき、ＭＢＳＦＮ伝送に使用する周波数を選択してよい（図２１の処理Ｇ１５）。
【０２９３】
ＭＣＥ４は、ＭＢＳＦＮ伝送のスケジューリングを実施してよい（図２１の処理Ｇ１６）。
【０２９４】
ＭＣＥ４は、実施したスケジューリングの結果を基に、ＭＢＳＦＮ制御情報（例えば、「送信タイミング」、「使用周波数」、「変調方式」、「符号化率」の少なくとも１つであってよい。）を、ｅＮＢ＃１−１及び＃１−ｍに対して送信してよい（図２１の処理Ｇ１７）。
【０２９５】
ＭＢＭＳ  ＧＷ８は、ｅＮＢ＃１−１及び＃１−ｍに対して、ＭＢＭＳデータ（別言すれば、「コンテンツデータ」）を送信してよい（図２１の処理Ｇ１８）。
【０２９６】
ｅＮＢ＃１−１及び１−ｍは、受信したＭＢＭＳデータを、無線端末２宛てにＭＢＳＦＮ伝送してよい（図２１の処理Ｇ１９）。そして、処理は終了してよい。
【０２９７】
次に、第２変形例の無線通信システム１００におけるｅＮＢ１の追加動作の第２の例を、図２２及び図２３に示すシーケンス図（処理Ｈ１〜Ｈ１９）に従って説明する。図２２及び図２３に示す例においては、ＭＣＥ４が周波数の使用可否の判定を行なう測定動作例について説明する。
【０２９８】
なお、図２２には処理Ｈ１〜Ｈ１２の処理が示され、図２２には処理Ｈ１３〜Ｈ１９の処理が示される。
【０２９９】
図２２及び図２３においては、無線通信システム１００にはＭＢＳＦＮ伝送を実施するｅＮＢ＃１−１とＭＢＳＦＮ伝送を実施しないｅＮＢ＃２−１とが設置されており、ＭＢＳＦＮ伝送を実施するｅＮＢ＃１−ｍが新たに追加される例を示す。
【０３００】
ＭＭＥ３は、ＭＣＥ４に対して、セッション開始の指示を発行してよい（図２２の処理Ｈ１）。
【０３０１】
ＭＣＥ４は、ｅＮＢ１＃１−１に対して、ＭＢＳＦＮ  ＩＤやＭＢＳＦＮセルＩＤ等のＭＢＳＦＮ制御情報を送信してよい（図２２の処理Ｈ２）。
【０３０２】
ＭＣＥ４は、ＭＢＳＦＮ伝送のスケジューリングを実施してよい（図２２の処理Ｈ３）。
【０３０３】
ＭＣＥ４は、実施したスケジューリングの結果を基に、ＭＢＳＦＮ制御情報（例えば、「送信タイミング」、「使用周波数」、「変調方式」、「符号化率」の少なくとも１つであってよい。）を、ｅＮＢ＃１−１に対して送信してよい（図２２の処理Ｈ４）。
【０３０４】
ｅＮＢ＃１−１は、受信したＭＢＳＦＮ制御情報を、無線端末２に宛てに送信してよい（図２２の処理Ｈ５）。
【０３０５】
ＭＢＭＳ  ＧＷ８は、ｅＮＢ＃１−１に対して、ＭＢＭＳデータ（別言すれば、「コンテンツデータ」）を送信してよい（図２２の処理Ｈ６）。
【０３０６】
ｅＮＢ＃１−１は、受信したＭＢＭＳデータを、無線端末２宛てにＭＢＳＦＮ伝送してよい（図２２の処理Ｈ７）。
【０３０７】
ＭＣＥ４は、新たに追加されたｅＮＢ＃１−ｍに対して、ＭＢＳＦＮ  ＩＤやＭＢＳＦＮセルＩＤ等のＭＢＳＦＮ制御情報を送信してよい（図２２の処理Ｈ８）。
【０３０８】
ｅＮＢ＃１−１及びｅＮＢ＃２−１は、新たに追加されたｅＮＢ＃１−ｍに対して、同期信号及びパイロットを送信してよい（図２２の処理Ｈ９）。
【０３０９】
ｅＮＢ＃１−ｍは、Unlicensed bandの周波数の無線回線品質の測定を行なってよい（図２２の処理Ｈ１０）。
【０３１０】
ｅＮＢ＃１−ｍは、ＭＣＥ４に対して、無線回線品質の測定の結果に基づいた無線回線品質の測定結果を送信してよい（図２２の処理Ｈ１１）。
【０３１１】
ＭＣＥ４は、受信した無線回線品質の測定結果に基づき、周波数の使用可否確認を行なってよい（図２２の処理Ｈ１２）。
【０３１２】
ＭＣＥ４は、周波数使用可否確認の結果に基づき、ＭＢＳＦＮ伝送を実施するｅＮＢ＃１−ｍの追加の可否を判断してよい（図２３の処理Ｈ１３）。
【０３１３】
ＭＣＥ４は、ｅＮＢ＃１−ｍに対して、ＭＢＳＦＮ伝送要求を送信してよい（図２３の処理Ｈ１４）。
【０３１４】
ＭＣＥ４は、周波数使用可否確認の結果に基づき、ＭＢＳＦＮ伝送に使用する周波数を選択してよい（図２３の処理Ｈ１５）。
【０３１５】
ＭＣＥ４は、ＭＢＳＦＮ伝送のスケジューリングを実施してよい（図２３の処理Ｈ１６）。
【０３１６】
ＭＣＥ４は、実施したスケジューリングの結果を基に、ＭＢＳＦＮ制御情報（例えば、「送信タイミング」、「使用周波数」、「変調方式」、「符号化率」の少なくとも１つであってよい。）を、ｅＮＢ＃１−１及び＃１−ｍに対して送信してよい（図２３の処理Ｈ１７）。
【０３１７】
ＭＢＭＳ  ＧＷ８は、ｅＮＢ＃１−１及び＃１−ｍに対して、ＭＢＭＳデータ（別言すれば、「コンテンツデータ」）を送信してよい（図２３の処理Ｈ１８）。
【０３１８】
ｅＮＢ＃１−１及び１−ｍは、受信したＭＢＭＳデータを、無線端末２宛てにＭＢＳＦＮ伝送してよい（図２３の処理Ｈ１９）。そして、処理は終了してよい。
【０３１９】
〔Ｄ〕その他
開示の技術は上述した実施形態に限定されるものではなく、本実施形態の趣旨を逸脱しない範囲で種々変形して実施することができる。本実施形態の各構成及び各処理は、必要に応じて取捨選択することができ、あるいは適宜組み合わせてもよい。
【符号の説明】
【０３２０】
１００    無線通信システム
１        ｅＮＢ
１ａ      ｅＮＢ
１０      アンテナ
１０ａ    ＬＳＩ
１０ｂ    ＤＳＰ
１１ｂ    Ｉ／Ｆ
１１      送信部
１１１    パイロット作成部
１１２    ＭＢＳＦＮ制御情報作成部
１１３    符号化・変調部
１１４    送信多元接続処理部
１１５    送信無線部
１２      制御部
１２１    システム情報管理・記憶部
１２２    無線回線制御部
１２２１  スケジューラ
１２２２  通信継続時間制御部
１２２３  使用周波数制御部
１３      受信部
１３１    受信無線部
１３２    受信多元接続処理部
１３３    復調・復号部
１３４    無線測定部
１４      メモリ
２        無線端末
２０      アンテナ
２０ａ    ＬＳＩ
２０ｂ    ＤＳＰ
２１      受信部
２１１    受信無線部
２１２    受信直交多元接続処理部
２１３    復調・復号部
２１４    システム情報抽出部
２１５    制御信号抽出部
２１６    パイロット抽出部
２１７    パイロット作成部
２１８    同期部
２２      制御部
２２１    端末設定制御部
２２２    システム情報記憶部
２２３    無線回線制御部
２３      送信部
２３１    送信無線部
２３２    送信直交多元接続処理部
２３３    符号化・変調部
２４      メモリ
２５      表示部
２６      マイク
２７      拡声部
３        ＭＭＥ
４        ＭＣＥ
４１      セッション制御部
４２      スケジューラ
４３      コンテンツ制御部
４４      周波数選択部
５        ＢＭＳＣ
６        ＭＢＭＳ  ＧＷ
６１      ＭＢＭＳ  ＣＰ
６２      ＭＢＭＳ  ＵＰ
７        コンテンツプロバイダ
８        ＰＤＮゲートウェイ
【図１】
2017145237.tif 000008
【図２】
2017145237.tif 000009
【図３】
2017145237.tif 000010
【図４】
2017145237.tif 000011
【図５】
2017145237.tif 000012
【図６】
2017145237.tif 000013
【図７】
2017145237.tif 000014
【図８】
2017145237.tif 000015
【図９】
2017145237.tif 000016
【図１０】
2017145237.tif 000017
【図１１】
2017145237.tif 000018
【図１２】
2017145237.tif 000019
【図１３】
2017145237.tif 000020
【図１４】
2017145237.tif 000021
【図１５】
2017145237.tif 000022
【図１６】
2017145237.tif 000023
【図１７】
2017145237.tif 000024
【図１８】
2017145237.tif 000025
【図１９】
2017145237.tif 000026
【図２０】
2017145237.tif 000027
【図２１】
2017145237.tif 000028
【図２２】
2017145237.tif 000029
【図２３】
2017145237.tif 000030
【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
無線端末と、
複数の周波数のうちの少なくとも１つを用いて前記無線端末と通信する複数の基地局と、
前記複数の基地局を制御する制御装置と、を備え、
前記複数の基地局のそれぞれは、
前記複数の基地局によって共有される前記複数の周波数のうち少なくとも１つの周波数に対しての使用可否に関する情報を、前記制御装置宛に送信する送信部を備え、
前記制御装置は、
前記使用可否に関する情報を受信する受信部と、
前記複数の基地局が同一データの送信に使用する周波数を制御する制御部と、を備えた、
無線通信システム。
【請求項２】
前記複数の基地局のそれぞれは、前記複数の基地局によって共有される前記複数の周波数のそれぞれに対して無線品質を測定する測定部を備え、
前記使用可否に関する情報は、前記測定部による測定結果である、請求項１に記載の無線通信システム。
【請求項３】
前記使用可否に関する情報は、前記少なくとも１つの周波数を使用した通信が可能か否かを示すものである、請求項１に記載の無線通信システム。
【請求項４】
前記制御部は、
前記複数の基地局へ、前記同一データの送信に使用する周波数に関する制御情報を送信する、請求項１〜３のいずれか１項に記載の無線通信システム。
【請求項５】
前記制御情報は、前記複数の基地局が前記同一データの送信に使用する変調方式、符号化率、及び、送信タイミングの少なくとも１つに関する情報を含む、請求項４に記載の無線通信システム。
【請求項６】
前記複数の周波数は、免許不要な周波数である、請求項１〜５のいずれか１項に記載の無線通信システム。
【請求項７】
前記制御部は、
前記複数の基地局による前記同一データの送信開始からの経過時間を算出し、前記複数の基地局が前記同一データの送信に使用する周波数の再選択を行なう、請求項１〜６のいずれか１項に記載の無線通信システム。
【請求項８】
前記複数の基地局は、前記制御部が、選択した基地局である、請求項１〜７のいずれか１項に記載の無線通信システム。
【請求項９】
複数の周波数のうちの少なくとも１つを用いて無線端末と通信する複数の基地局を制御する制御装置であって、
前記複数の基地局のそれぞれから、前記複数の基地局によって共有される前記複数の周波数の少なくとも１つの周波数に対しての使用可否に関する情報を、受信する受信部と、
前記複数の基地局が同一データの送信に使用する周波数を制御する制御部と、を備えた、
制御装置。
【請求項１０】
複数の周波数のうちの少なくとも１つを用いて無線端末と通信する複数の基地局のうちの１つの基地局であって、
前記複数の基地局によって共有される前記複数の周波数のうち少なくとも１つの周波数に対しての使用可否に関する情報を、制御装置宛に送信する第１送信部と、
前記複数の周波数のうちの少なくとも１つの周波数を使用して、同一データを前記無線端末へ送信する第２送信部と、を備えた、
基地局。
【請求項１１】
複数の周波数のうちの少なくとも１つを用いて複数の基地局と通信する無線端末であって、
前記複数の基地局によって共有される前記複数の周波数から選択された少なくとも１つの周波数を示す制御情報を、前記複数の基地局の少なくとも１つから受信する第１受信部と、
前記受信した制御情報によって示された周波数を使用して、前記複数の基地局が前記無線端末宛に送信した同一データを受信する第２受信部と、を備えた、
無線端末。
【国際調査報告】
2017145237.tif 000031
2017145237.tif 000032
2017145237.tif 000033
2017145237.tif 000034